(57)【特許請求の範囲】
【請求項１】
可搬型空調機と、
該可搬型空調機にて少なくとも空調された風を送出可能な送風路に接続され、通気性を有したペット用座面を備えたマット部と、
上記マット部にペットが居るか居ないかを検出する第１センサと、
上記マット部におけるペットの不在時間を計測するタイマ部と、
上記タイマ部が計測する上記不在時間に応じて、上記可搬型空調機の運転モードを、通常モード、省エネルギモードおよび運転オフを含む運転モードから選択する制御部と、を備えていること
を特徴とするペット用空調システム。
【請求項２】
可搬型空調機と、
該可搬型空調機にて少なくとも空調された風を送出可能な送風路に接続され、通気性を有したペット用座面を備えたマット部と、を備え、
上記マット部には、上記送風路に接続される接続口が設けられており、
上記接続口は、上記送風路に対する上記マット部の向きを変えることができるように、複数箇所に設けられていること
を特徴とするペット用空調システム。
【請求項３】
上記マット部は、上記可搬型空調機の上記送風路に対して着脱可能であること
を特徴とする請求項１または２に記載のペット用空調システム。
【請求項４】
殺菌作用および消臭作用の少なくとも一方を有する帯電粒子の発生器を、少なくとも上記送風路に設けたこと
を特徴とする請求項１または２に記載のペット用空調システム。
【請求項５】
上記マット部は、クッション性および通気性を備えたベース部と、該ベース部を脱着可能に収容するとともに通気性を備えたカバー部とを備え、上記ベース部における上記ペット用座面に対応した上面を除く面には、気密性が付与されていること
を特徴とする請求項１から４のいずれか１項に記載のペット用空調システム。
【請求項６】
上記可搬型空調機にて冷房運転時に発生するドレン水を受け取って貯める貯水容器を備え、
上記貯水容器は、上記マット部の底面に接して配置されていること
を特徴とする請求項１から５のいずれか１項に記載のペット用空調システム。
【請求項７】
上記貯水容器は、上層および下層の２層構造を成しており、上記ドレン水は上層に送り込まれ、上層および下層には、上層に貯まったドレン水が下層へオーバーフローする連通構造が設けられていること
を特徴とする請求項６に記載のペット用空調システム。
【請求項８】
上記貯水容器は、相対的に容量が大きいメイン容量部と相対的に容量が小さいサブ容量部とに分離されており、
上記サブ容量部は、上記ドレン水が送り込まれるとともにメイン容量部と連通した通路部と、通路部と連通した開口部が形成されたキャビティ部と、上記開口部を開閉する開閉機構とを備え、
上記開口部は、少なくとも冷房運転中に上記開閉機構によって閉じられていること
を特徴とする請求項６に記載のペット用空調システム。
【請求項９】
上記可搬型空調機に内蔵された蒸発器で発生する上記ドレン水を受ける受水部が、該可搬型空調機に設けられ、該受水部の排水口と、上記貯水容器における上記ドレン水の受け口とは管を介して接続され、
上記受水部の近傍に、該受水部の満水を検知する第２センサが設けられていること
を特徴とする請求項６から８のいずれか１項に記載のペット用空調システム。
【請求項１０】
上記可搬型空調機は、
蒸発部と凝縮部とを一体的に収容した筐体と、
上記筐体に設けられ、冷房運転時に上記送風路の少なくとも一部を構成する第１送風口と、
上記第１送風口とは送風の向きが異なる位置にて上記筐体に設けられ、暖房運転時に上記送風路の少なくとも一部を構成する第２送風口と、
上記第１送風口および第２送風口とは送風の向きがさらに異なる位置にて上記筐体に設けられた排気口と、
上記蒸発部に設けられた第１ファンの周囲を囲うとともに、第１ファンが送り出す気流が吹き出す第１気流出口を備えた第１ファンケーシングと、
上記凝縮部に設けられた第２ファンの周囲を囲うとともに、第２ファンが送り出す気流が吹き出す第２気流出口を備えた第２ファンケーシングとを備え、
冷房運転時には、上記第１気流出口は、上記第１送風口と連通し、上記第２気流出口は、上記排気口と連通し、
暖房運転時には、第１ファンケーシングおよび第２ファンケーシングが一体的に、冷房運転時の位置から所定角度回転することによって、上記第１気流出口は上記排気口と連通し、上記第２気流出口は上記第２送風口と連通すること
を特徴とする請求項１に記載のペット用空調システム。
【請求項１１】
上記可搬型空調機は、
蒸発部と凝縮部とを一体的に収容した筐体と、
該筐体に設けられ、上記送風路の少なくとも一部を構成する送風口と、
該筐体に設けられた排気口と、
冷房運転時に上記蒸発部と上記送風口とを連通させるとともに、上記凝縮部と上記排気口とを連通させる一方、暖房運転時に上記蒸発部と上記排気口とを連通させるとともに、上記凝縮部と上記送風口とを連通させる気流路切換部とを備えていること
を特徴とする請求項１に記載のペット用空調システム。
【請求項１２】
上記気流路切換部は、その内部を通る気流の方向に沿った回転軸を有し、その回転軸の周囲に少なくとも２つの開口を部分的に備えた回転式切換弁を備え、
冷房運転時には、上記少なくとも２つの開口のうちの第１の開口を介して、上記蒸発部と上記送風口とが接続され、暖房運転時には、上記回転式切換弁を回転させることによって、上記少なくとも２つの開口のうちの第２の開口を介して、上記凝縮部と上記送風口とが接続されること
を特徴とする請求項１１に記載のペット用空調システム。
【請求項１３】
上記気流路切換部は、扁平な円筒形状を成す切換弁であって、該円筒形状の中心軸の周りに回動可能な切換弁を備えており、
上記蒸発部および凝縮部は、上記切換弁の底面側に配設され、
上記切換弁は、該切換弁の底面から上面に貫通する排気路と、該切換弁の底面から上面に貫通するとともに上記排気路を挟むように形成された第１通風路および第２通風路とを備え、
冷房運転時には、上記第１通風路を介して上記蒸発部と上記送風口とが接続されるとともに上記排気路を介して上記凝縮部と上記排気口とが接続され、
暖房運転時には、上記切換弁を上記中心軸の周りに回動させることにより、上記第２通風路を介して上記凝縮部と上記送風口とが接続されるとともに上記排気路を介して上記蒸発部と上記排気口とが接続されること
を特徴とする請求項１１に記載のペット用空調システム。
【請求項１４】
上記排気路は、上記円筒形状の底面の外周寄りに形成された排気受口と、該円筒形状の上面の外周寄りに形成され、上記排気口と連通する排気出口であって、該円筒形状の中心を挟んで上記排気受口と対角的に対向する排気出口と、上記排気受口および排気出口とを斜めに連通させる傾斜路とを備え、
上記第１通風路および第２通風路は、上記排気受口を挟む両側位置に形成されていること
を特徴とする請求項１３に記載のペット用空調システム。
【請求項１５】
上記気流路切換部は、両端が開口した通風路と、該通風路の内部で回動軸の周りに回動する平板とを備え、
上記両端のうちの一端は上記排気口と連通し、上記両端のうちの他端は上記送風口と連通しているとともに、上記通風路の内面の途中位置で上記蒸発部に接続された冷気路が開口しているとともに、上記通風路の内面の他の途中位置で上記凝縮部に接続された暖気路が開口しており、
上記平板は、上記回動軸を挟んで対向して位置する第１回動端縁および第２回動端縁が、上記通風路の対向する内面に接することによって、上記平板は２種類の傾斜状態を取り、
上記平板は、冷房運転時に上記２種類の傾斜状態のうちの第１の傾斜状態となることによって、上記冷気路を上記送風口に連通させる冷流路と、上記暖気路を上記排気口に連通させる暖流路とを気密状態で分離する一方、暖房運転時に、上記２種類の傾斜状態のうちの第２の傾斜状態となることによって、上記冷気路を上記排気口に連通させる冷流路と、上記暖気路を上記送風口に連通させる暖流路とを気密状態で分離すること
を特徴とする請求項１１に記載のペット用空調システム。
【請求項１６】
上記気流路切換部は、第１通風路と、第２通風路と、第１通風路と第２通風路とに挟まれた切換プレートとを備え、
上記第１通風路は、上記蒸発部に接続された冷風路と上記凝縮部に接続された温風路とを通風方向に沿って分離する第１仕切を備え、
上記第２通風路は、上記送風口に接続された送風路と上記排気口に接続された排気路とを通風方向に沿って分離する第２仕切を備え、
上記切換プレートは、上記冷風路の開口面積より小さい開口面積を有した冷風口と、上記温風路の開口面積より小さい開口面積を有した温風口とを備え、かつ上記通風方向に沿った回転軸を持ち、上記冷風口が上記冷風路の開口範囲内で回転すると同時に、上記温風口が上記温風路の開口範囲内で回転するように、上記切換プレートは回転し、
上記第１通風路と第２通風路とは、上記第１仕切の上記通風方向を含む第１面と、上記第２仕切の上記通風方向を含む第２面とが交差するように、上記切換プレートを挟んで接続されていること
を特徴とする請求項１１に記載のペット用空調システム。
【発明の詳細な説明】
【技術分野】
【０００１】
本発明は、愛玩動物（ペット）用の空調システムと、その空調システムにおいて温度調節され、ペットの休息の場となるペット用マットとに関する。
【背景技術】
【０００２】
小型犬または猫などのペットを収容して屋外へ持ち運ぶことができるペットキャリア、またはペットを収容した状態でペットの日常の居住空間とするペット用ケージにおいて、冷暖房システムを備えたペットキャリアまたはペット用ケージが知られている。例えば、下掲の特許文献１には、ペットキャリア内の床の裏側に、ペルチェモジュールによって冷却または加熱される伝熱機構を設けたペット収容体用の冷暖房システムが開示されている。このようなシステムは、ペットが夏場の高温または冬場の低温にさらされないようにし、ペットが感じる快適性を向上させることができる。
【０００３】
また、下掲の特許文献２および特徴文献３には、上記ペットが寝そべったり寛いだりするためのペット用マットが開示されている。
【先行技術文献】
【特許文献】
【０００４】
【特許文献１】特開２００９−２４７２１６号公報（２００９年１０月２９日公開）
【特許文献２】特開２００６−１８０７９３号公報（２００６年０７月１３日公開）
【特許文献３】特開２０１４−１６８４００号公報（２０１４年０９月１８日公開）
【発明の概要】
【発明が解決しようとする課題】
【０００５】
しかしながら、特許文献１では、ペット収容体に、冷暖房システムを構成する各種電子部品が設けられているため、電気的トラブルが発生するおそれ、または電気的トラブルの発生によってペットの安全を損なうおそれがある。例えば、ペット収容体の床下にペットの排尿または飲み水が漏れ、その床下に設けられたペルチェ素子等を濡らすおそれがある。この結果、ペルチェ素子の周辺の電気回路における正極端子と負極端子との間で、トラッキングと呼ばれる放電を誘発するおそれがある。
【０００６】
さらに、ペットがペット収容体の内壁を引っ掻いたりかじったりするおそれもあるため、上記の各種電子部品が露出する危険も考えられる。このため、ペット収容体に各種電子部品を設けずに済むペット用の冷暖房システムを新たに開発することが望ましい。
【０００７】
また、特許文献２および３に開示されたペット用マットは、クッション性を備えているものの、温度調節機構を備えていないので、ペットがペット用マットから感じる快適性を向上させることには限界がある。また、ペットを室内等で飼育する形態において、ペットの居室全体の室温を最適温度に調節する場合には、電気代のようなエネルギコストが高くなるという問題がある。
【０００８】
本発明は、上記の問題点に鑑みてなされたものであり、その目的は、安全性が高くエネルギコストが低いペット用空調システムおよびペット用マットを提供することにある。
【課題を解決するための手段】
【０００９】
上記の課題を解決するために、本発明の一態様に係るペット用空調システムは、可搬型空調機と、該可搬型空調機から少なくとも空調された風を送出可能な送風路に接続され、通気性を有したペット用座面を備えたマット部とを備えたことを特徴とする。
【００１０】
また、上記の課題を解決するために、本発明の一態様に係るペット用マットは、空調機にて少なくとも空調された風を送出可能な送風路に接続可能に構成され、通気性を有したペット用座面を備えたことを特徴とする。
【発明の効果】
【００１１】
本発明の一態様によれば、安全性が高く、エネルギコストが低いペット用空調システムおよびペット用マットを提供することができるという効果を奏する。
【図面の簡単な説明】
【００１２】
【図１】本発明の実施形態１に係るペット用空調システムの外観を示す説明図である。
【図２】（ａ）は、マット部の他の形態を示す説明図であり、（ｂ）は、マット部のさらに他の形態を示す説明図である。
【図３】他の形態のペット用空調システムの外観を示す斜視図である。
【図４】図３に示す可搬型空調機からケースおよびドレンタンクを取り外した状態を示す斜視図である。
【図５】図３に示す可搬型空調機からケースおよび四方弁を取り外した状態を示す斜視図である。
【図６】図４に示す可搬型空調機からさらに蒸発器および凝縮器を取り外した状態を示す斜視図である。
【図７】ペット検知センサの出力に基づいて、空調部の運転パフォーマンスを変化させる制御を実行する制御システムの構成を示すブロック図である。
【図８】ペット検知センサの出力に基づいて、制御部が空調部の運転パフォーマンスを変化させる処理の手順を示すフローチャートである。
【図９】本発明の実施形態２に係るペット用空調システムにおいて、ドレンタンクの設け方に工夫を加えたペット用空調システムを示す斜視図である。
【図１０】上記ドレンタンクの変形例の構成を示す説明図である。
【図１１】マット部およびドレンタンクの変形例を示す説明図である。
【図１２】本発明の実施形態３に係るペット用空調システムに関し、満水検知の構成に工夫を加えたペット用空調システムを示す説明図である。
【図１３】本発明の実施形態４に係るペット用空調システムにおいて、四方弁の省略を実現する可搬型空調機の一構成例を示す説明図である。
【図１４】上記可搬型空調機のケースの構成を概略的に示す斜視図である。
【図１５】本発明の実施形態５に係るペット用空調システムに関し、四方弁の省略を実現する可搬型空調機の構成を、ケースの一部を破断して示す説明図である。
【図１６】ダクト切換弁の構成を示す説明図であり、（ａ）はダクト切換弁の斜視図、（ｂ）は（ａ）に示すＡ−Ａ線に沿ってダクト切換弁を矢印の方向に見た斜視断面図である。
【図１７】冷風路および温風路の形成を示す一部透視図を含む説明図であり、（ａ）は冷房運転モードにおける冷風路の形成を示し、（ｂ）は暖房運転モードにおける温風路の形成を示している。
【図１８】冷房運転モードにおける冷風路の形成を示す説明図であり、（ａ）はダクト切換弁と送風ダクトおよび排気ダクトとの位置関係を示す模式的平面図であり、（ｂ）は（ａ）に示すＢ−Ｂ’線に沿う矢視断面図である。
【図１９】暖房運転モードにおける温風路の形成を示す説明図であり、（ａ）はダクト切換弁と送風ダクトおよび排気ダクトとの位置関係を示す模式的平面図であり、（ｂ）は（ａ）に示すＣ−Ｃ’線に沿う矢視断面図である。
【図２０】本発明の実施形態６に係るペット用空調システムに関し、（ａ）〜（ｃ）は暖房運転モードに対応した気流路切換部の構成および動作状態を示す説明図であり、（ｄ）〜（ｆ）は冷房運転モードに対応した気流路切換部の構成および動作状態を示す説明図である。
【図２１】本発明の実施形態７に係るペット用空調システムに関し、（ａ）は気流路切換部として機能するダクト切換機の外観を示す斜視図、（ｂ）（ｃ）は冷房運転モードに対応したダクト切換機の構成および動作状態を示す説明図、（ｄ）（ｅ）は暖房運転モードに対応したダクト切換機の構成および動作状態を示す説明図である。
【発明を実施するための形態】
【００１３】
〔実施形態１〕
本発明の実施形態１について、図１〜図８を参照して説明する。
【００１４】
（システムの概要）
図１は、本発明の実施形態１に係るペット用空調システムの外観を示す説明図である。図１の（ａ）（ｂ）に示すように、ペット用空調システム１は、可搬型空調機１０と、可搬型空調機１０にて少なくとも空調された風を送出可能な送風ダクト２０（送風路）に接続され、通気性を有したペット用座面３１を備えたマット部３０とを備えている。
【００１５】
可搬型空調機１０は、冷房運転および暖房運転を切り換えて行う空調部４０を筐体内に内蔵し、ユーザが容易に持ち運びできるように、軽量かつ小型に構成されている。可搬型空調機１０は、外気を取り込み、空調部４０によって設定温度に調節した空気を送風ダクト２０からマット部３０の内部へ送出する。
【００１６】
マット部３０は、ペットが座ったり寝そべったりする上記ペット用座面３１と、ペット用座面３１の周囲に隆起し、ペットの枕として役立つ隆起部３２とを備えている。隆起部３２は有っても無くてもよい。ペット用座面３１は、マット部３０内に送り込まれた冷風または温風によって、穏やかで僅かに感じられる程度の気流５０がペット用座面３１上に生じる程度の通気性を備えている。また、図１の（ａ）に示すように、隆起部３２の内面に、スリット形状または円形状等の複数の通風口３３が形成されていてもよい。さらに、マット部３０の全体を収納するカバー６０（カバー部）を備えていてもよい。
【００１７】
以上のように、マット部３０と可搬型空調機１０とは互いに独立しており、マット部３０の温度は、空調された風により調節される。したがって、マット部３０に電子部品を設ける必要が無いので、マット部３０において電気的なトラブルが発生することがない。このため、安全性および信頼性の高いペット用空調システム１を提供することができる。さらに、ペット用座面３１がペットの体温調節部位（腹部、肉球など）を部分的に冷やしたり温めたりできるので、ペットの居室全体を温度調節する形態と比較して、エネルギコストを低く抑えることができる。
【００１８】
また、マット部３０が独立しているので、マット部３０を別のマット部に交換することができる。例えば、ペットを買い替えたときなどに、ペットの大きさに応じてマット部３０だけを変えることができる。さらに、マット部３０が使用に耐えない状態になったときに、新たなマット部と容易に交換することもできる。したがって、マット部３０を交換できることはペット用空調システム１を新調する必要が無いのでコスト面で有利である。
【００１９】
さらに、マット部３０は可搬型空調機１０から離れているので、可搬型空調機１０の圧縮機またはファン等で発生する騒音が、マット部３０においては低減されてペットに聞こえる。したがって、マット部３０の快適性がその騒音によって阻害されることがない。
【００２０】
（マット部の構成の補足）
図２の（ａ）は、マット部の他の形態を示す説明図であり、図２の（ｂ）は、マット部のさらに他の形態を示す説明図である。図２の（ａ）に示すように、マット部３０Ａは、クッション性と通気性とを備えたベース部７０と、ベース部７０を収容するカバー６０Ａ（カバー部）とを備えている。ベース部７０は、例えば弾力のある樹脂繊維を絡み合わせて成形したものであり、その形状は例えば扁平な円筒状、楕円筒状または直方体状等である。ベース部７０の側面および底面には気密性が付与されている。例えば、ベース部７０の側面および底面は気密性を有したフィルムによって覆われている。ベース部７０の側面の一部には、空調された風をベース部７０の内部に送り込むための通風口７１（接続口）が開けられている。ベース部７０の上面は通気性が確保されているので、通風口７１を介してベース部７０の内部に送り込まれた風は、上面から上方へ穏やかに流出する。
【００２１】
カバー６０Ａは、ベース部７０の形状に対応した形状を有し、ベース部７０を収容し得る容積を有している。カバー６０Ａの側面または底面がチャック等の接合部材によって開閉されるようになっている。カバー６０Ａの側面には、ベース部７０の通風口７１と位置合わせして対面することによって連通する通風口６１（接続口）が形成されている。この通風口６１は、上記送風ダクト２０が接続される構造を有している。
【００２２】
マット部３０Ａに代えて、図２の（ｂ）に示すマット部３０Ｂを採用することもできる。マット部３０Ｂは、上記ベース部７０に加えてカバー６０Ｂ（カバー部）を備えている。カバー６０Ｂとカバー６０Ａとの主要な相違点は、カバー６０Ｂの側面に複数の通風口６１が形成されている点である。なお、カバー６０Ｂの上面の一部にペットの枕として役立つ隆起部３２Ｂが設けられている点も副次的な相違点である。上記主要な相違点により、送風ダクト２０と接続する通風口６１を選択することができ、送風ダクト２０に対するマット部３０Ｂの向きを様々に変えることができる。したがって、マット部３０Ｂを置く場所の状況に合わせて、マット部３０Ｂの向きが最適になる通風口６１をユーザは選択することができる。
【００２３】
なお、送風ダクト２０と接続しない通風口６１は、キャップなどによって閉じられ、空気が漏れ出ないようになっている。
【００２４】
以上のカバー６０，６０Ａ，６０Ｂの素材として、例えばコットンを採用でき、生地の状態としてクッション性の有るタオル地を採用できる。また、ペットの爪等が生地に引っ掛からないように、起毛された生地でもよい。いずれにせよ、穏やかで僅かに感じられる程度の気流５０を作り出すのに適した材料を採用することが好ましい。マット部３０Ａ，３０Ｂでは、ベース部７０と、カバー６０Ａ，６０Ｂとを分離できるので、カバー６０Ａ，６０Ｂをマット部３０Ａ，３０Ｂから取り外して洗濯することができる。また、マット部３０Ａ，３０Ｂから取り出したベース部７０を乾燥させたり、日光消毒したりすることもできる。
【００２５】
（空調機の外部構成）
図３は、上記可搬型空調機１０、送風ダクト２０およびマット部３０にそれぞれ対応した可搬型空調機１０Ａ、送風ダクト２０Ａおよびマット部３０Ａを備えたペット用空調システム１Ａの外観を示す斜視図である。図３に示すように、可搬型空調機１０Ａは、ケース１１（筐体）を備え、ケース１１の正面には、送風口１２が形成され、送風口１２には送風ダクト２０Ａが接続されている。送風口１２は、冷房運転時には冷風を送出し、暖房運転時には温風を送出する。
【００２６】
また、ケース１１の天面には排気口１３が形成されている。排気口１３は、冷房運転時には温風を排気し、暖房運転時には冷風を排気する。排気口１３は、上記温風の排気口（温排気口）と上記冷風の排気口（冷排気口）とに仕切によって分離されていてもよいし、分離されていなくてもよい。分離されていない場合には、排気口１３の長手方向の一端側が主として温風を排気し、他端側が主として冷風を排気する。
【００２７】
また、排気口１３は、常時開放の状態でもよいし、排気口１３の開口面積の１／２サイズの蓋１４を設けてもよい。蓋１４は天面に沿って上記長手方向にスライドする形式の蓋であってもよい。この場合、蓋１４は、暖房運転時には温排気口を塞ぎ、かつ冷排気口を開放する位置にスライドし、冷房運転時には温排気口を開放し、かつ冷排気口を塞ぐ位置にスライドする。これにより、排気口１３の開口面積を小さくできるので、ほこりよけ、および安全性への配慮を高めることができる。さらに、排気口１３を覆う網を取り付けてもよい。網の目は通風を妨げない粗さであることが好ましい。
【００２８】
送風口１２が形成されたケース１１の正面を挟んで対向する２つの側面の一方には、後述する蒸発器４１（図４）の外気吸込口となる第１吸込口１５が形成されている。また、上記２つの側面の他方には、後述する凝縮器４５（図４）の外気吸込口となる第２吸込口１６が形成されている。
【００２９】
なお、送風口１２の下方には、冷房運転時に発生するドレン水を貯めるドレンタンク１７が、可搬型空調機１０Ａに対して脱着可能に嵌め込まれている。但し、ドレンタンク１７を可搬型空調機１０Ａに設けるのではなく、マット部３０Ａの下側に設けるより好ましい形態については後述する。
【００３０】
（空調機の内部構成）
図４は、可搬型空調機１０Ａからケース１１およびドレンタンク１７を取り外した状態を示す斜視図である。図５は、可搬型空調機１０Ａからケース１１および四方弁４８を取り外した状態を示す斜視図である。図６は、図４の状態からさらに上記蒸発器４１および凝縮器４５を取り外した状態を示す斜視図である。
【００３１】
ケース１１内には、前記空調部４０が収まっている。空調部４０は、蒸発部４０Ａおよび凝縮部４０Ｂを備えている。但し、蒸発部４０Ａと凝縮部４０Ｂとの役割は、四方弁４８の動作によって冷房運転と暖房運転とに応じて入れ替わる。図４は、冷房運転モードにおいてその役割を果たす蒸発部４０Ａおよび凝縮部４０Ｂを示している。したがって、暖房運転モードでは、蒸発部４０Ａは凝縮部４０Ａに変わり、凝縮部４０Ｂは蒸発部４０Ｂに変わる。以下では、冷房運転時の空調部４０の動作について主に説明し、暖房運転時の空調部４０の動作については実施形態４以降で後述する。
【００３２】
図５に示すように、空調部４０の下部には、圧縮機４９が備えられている。圧縮機４９は、冷房運転モード時の蒸発部４０Ａまたは暖房運転モード時の蒸発部４０Ｂによって気化された冷媒を、低温低圧の状態から高温高圧の状態に遷移させる。
【００３３】
蒸発部４０Ａは、蒸発器４１と、第１ファンケーシング４２と、シロッコファン４３（第１ファン）とを含んで構成されている。シロッコファン４３は、上記第１吸込口１５から蒸発器４１を通して外気を吸い込むとともに、冷房運転時には冷風を上記送風口１２へ送る。なお、その冷風は、第１ファンケーシング４２によって送風口１２へ案内される。したがって、図６にも示すように、第１ファンケーシング４２は、成形が可能な部材がシロッコファン４３の外周を取り囲むように円筒状に形成されている。円筒状に形成された帯状の部材の一端部と他端部とは所定間隔を開けて接近しており、かつ送風口１２の方へそれぞれ延び出すことによって、気流の第１出口Ｅ（第１気流出口）を形成している。
【００３４】
凝縮部４０Ｂも蒸発部４０Ａと同様に、上記凝縮器４５と、第２ファンケーシング４６と、シロッコファン４７（第２ファン）とを含んで構成されている。シロッコファン４７は、上記第２吸込口１６から凝縮器４５を通して外気を吸い込むとともに、冷房運転時には温風を上記排気口１３へ送る。なお、その温風は、第２ファンケーシング４６によって排気口１３へ案内される。したがって、図６にも示すように、第２ファンケーシング４６は、成形が可能な部材がシロッコファン４７の外周を取り囲むように円筒状に形成されている。円筒状に形成された帯状の部材の一端部と他端部とは所定間隔を開けて接近した状態となって、気流の第２出口Ｆ（第２気流出口）を形成している。
【００３５】
なお、送風口１２はケース１１の正面に形成され、排気口１３はケース１１の天面に形成されているので、蒸発部４０Ａの上記第１出口Ｅと凝縮部４０Ｂの上記第２出口Ｆとは、それぞれの気流の排出方向が９０度異なっている。シロッコファン４３および４７は同一の回転軸を有し、同一のモータから駆動力を得て同時に回転する。
【００３６】
（スイッチの構成）
ケース１１の天面または背面には、スイッチ群が配設されている。スイッチ群は、可搬型空調機１０Ａの運転モード（冷房運転、暖房運転、除湿運転および送風運転等）を切り換えて選択できる切換スイッチと、電源のオンオフスイッチとを備えている。各スイッチは、ユーザが長押しすることによってロックされるようになっている。これは、ペットまたは幼児等がスイッチを不用意に触って誤動作させることを防止するためである。ペットまたは幼児等がスイッチを不用意に触わらないようにスイッチ群を覆うカバーを取り付けてもよい。
【００３７】
（帯電粒子発生器）
ペット用空調システム１には、殺菌作用および消臭作用の少なくとも一方を有する帯電粒子の発生器を設けてもよい。そのような発生器として、例えばプラスイオンとマイナスイオンの各周囲に空気中の水分子が寄り集まったクラスターイオンを生成する発生器を挙げることができる。クラスターイオンの生成方法を簡単に説明すると、放電電極に＋と−の電圧をかけて、空気中の水分子および酸素分子を電離し、水素のプラスイオンと酸素のマイナスイオンを作る。こうすると、空気中の水分子がイオンの周りに寄り集まり、ライフタイムの長い安定したクラスターイオン＜Ｈ＋（Ｈ２Ｏ）ｎおよびＯ２-（Ｈ２Ｏ）ｎ＞が生成される。このようなクラスターイオン（帯電粒子）は、細菌、ウイルスまたは臭い物質などに付着するとＯＨラジカルを発生し、殺菌作用および消臭作用を発揮する。
【００３８】
したがって、ペット用空調システム１に帯電粒子の発生器を設けることによって、ペットに由来するアンモニア臭または体臭を抑える効果や、例えば犬が感染しやすいイヌバルボウイルスまたは他の浮遊菌等の低減効果などが得られる。この結果、ペットおよび飼い主にとって快適な空間を創出することができる。
【００３９】
上記帯電粒子を広範囲に行き渡らせるには、気流が必要である。したがって、上記発生器の設置部位として、帯電粒子を気流で運べる部位が適している。例えば、図４に示すエリアＣ３およびＣ４の少なくとも一方が、発生器の設置部位として適している。エリアＣ３は排気口１３に通じる流路を形成する第２ファンケーシング４６内に位置しており、帯電粒子は排気口１３から可搬型空調機１０外へ排気とともに放出される。エリアＣ４は送風口１２に通じる流路を形成する第１ファンケーシング４２内に位置しており、帯電粒子は送風口１２から送風ダクト２０Ａを通ってマット部３０Ａ内に送り込まれる。マット部３０Ａ内に送り込まれた帯電粒子は、マット部３０Ａ内に行き渡って殺菌作用および消臭作用を発揮するとともに、マット部３０Ａの上面から拡散してペットにも作用するので、ペットに対する殺菌作用および消臭作用も発揮する。
【００４０】
さらに、上記発生器を図３に示すエリアＣ２に設けることもできる。エリアＣ２はマット部３０Ａ内の気流の経路に位置している。但し、エリアＣ２は、マット部３０Ａに電子部品および電気配線を設けることにつながるので、ベストポジションではない。
【００４１】
（ペット検知センサ）
ペットは四六時中マット部３０Ａ上で休息しているとは限らず、マット部３０Ａから離れて周囲を動き回ったり、マット部３０Ａにまた戻って休息したりを繰り返すものである。そうすると、ペットがマット部３０Ａ上にいるかいないかに応じて、空調部４０の運転パフォーマンスを変化させると、コストパフォーマンスを向上させることができる。
【００４２】
そこで、ペット用空調システム１にペット検知センサを設けてもよい。ペット検知センサの設置部位として、図３に示すエリアＣ１およびＣ２の少なくとも一方を挙げることができる。エリアＣ１はマット部３０Ａに対面する可搬型空調機１０Ａの側面に位置し、そこに設けるペット検知センサは、離れた場所からペットを検知できるセンサが適している。そのようなセンサとして、例えば赤外線センサ、超音波センサまたはカメラなどを採用できる。エリアＣ２は、上記発生器を設ける場合の位置とは異なり、マット部３０Ａの上面に位置している。エリアＣ２はペットに接するまたは近接した部位なので、そこに設けるペット検知センサとして圧力センサまたは温度センサなどを採用できる。圧力センサは、マット部３０Ａにかかるペットの重みを検出する。温度センサは、マット部３０Ａの中央部の１カ所に設けてもよいが、マット部３０Ａの中央部と周縁部との２カ所に設けてもよい。温度センサを２カ所に設けた場合、２カ所の温度センサの温度差が有る（中央部の温度＞周縁部の温度）場合に、ペットがマット部３０Ａ上に居るということをより精度よく検知できる。
【００４３】
（ペット検知に基づく運転制御）
次に、上記ペット検知センサの出力に基づいて、空調部４０の運転パフォーマンスを変化させる制御について説明する。
【００４４】
図７は、そのような制御を実行する制御システム８０の構成を示すブロック図である。制御システム８０は、センサ８１（第１センサ）、制御部８２、タイマ８３（タイマ部）、メモリ８４および上記空調部４０を含んで構成されている。センサ８１は、既に説明したとおりのペット検知センサである。制御部８２は、例えばメモリ８４に格納されたプログラムに従って制御システム８０を有機的に制御するＣＰＵによって構成される。タイマ８３は制御部８２の命令に応じて計時し、その結果を制御部８２へ出力する。
【００４５】
図８は、センサ８１の出力に基づいて、制御部８２が空調部４０の運転パフォーマンスを変化させる処理の手順を示すフローチャートである。制御部８２は、可搬型空調機１０Ａの電源がオンされる（ステップ１；以下Ｓ１のように略記する）と、制御部８２は空調部４０の運転をスタートさせる（Ｓ２）。冷房運転または暖房運転等の運転モードは、Ｓ１において既に指定されている。
【００４６】
制御部８２は、空調部４０の運転をスタートさせると同時に、タイマ８３に計時をスタートさせ、所定時間ｔ１が経過した場合（Ｓ３）、制御部８２は、センサ８１がマット部３０Ａ上にペットが居るという検知結果を出力しているかどうかを判定する（Ｓ４）。Ｓ４の判定結果がＮＯの場合、制御部８２は、ペットの不在時間がある程度長くなっていると認識し、空調部４０に対して、通常運転モードから消費エネルギ量が小さくなる省エネ運転モードへの切り換えを指示する（Ｓ５）。
【００４７】
なお、Ｓ３からスタートしたタイマ８３の計時は、Ｓ５の実行後も継続されている。そして、制御部８２は、ペットの不在時間が長時間になった場合、つまり所定時間ｔ２（＞ｔ１）に達した場合（Ｓ６）、センサ８１がマット部３０Ａ上にペットが居るという検知結果を出力しているかかどうかを判定する（Ｓ７）。Ｓ７の判定結果がＮＯになると、制御部８２は可搬型空調機１０Ａの電源をオフにする（Ｓ８）。この場合には、制御部８２による制御が終了するので、ユーザがＳ１で可搬型空調機１０Ａの電源をオンにしない限り、ペット用空調システム１Ａは動作しない。そこで、ペットが長時間不在になった後、再びマット部３０Ａに戻って来た場合にペット用空調システム１Ａが起動されるようにしてもよい。そのためには、制御部８２はＳ８において空調部４０に対して運転スタートを指示し、処理をＳ２へ戻すとよい。
【００４８】
一方、Ｓ４の判定結果がＹＥＳの場合、すなわち、ペットがマット部３０Ａに居続けたか、あるいは不在になった時間が短時間であり、所定時間ｔ１が経過した時点でペットがマット部３０Ａに戻っていた場合には、制御部８２は処理をＳ３に戻し、空調部４０が実行中の通常運転モードをそのまま継続させる。そして、制御部８２はセンサ８１による上記検知結果の判定（Ｓ４の処理）を所定時間ｔ１の周期で繰り返す。また、Ｓ７の判定結果がＹＥＳの場合、ペットが所定時間ｔ１の経過時点でマット部３０Ａに不在であり、所定時間ｔ２の経過時点では、再びマット部３０Ａに戻って来たことになる。したがって、制御部８２は省エネ運転モードを解除し、通常運転モードに戻す（Ｓ９）とともに、処理をＳ３に戻し、Ｓ４以降の処理を引き続き実行する。
【００４９】
〔実施形態２〕
本発明の実施形態２について、図９〜図１１を参照して説明する。なお、説明の便宜上、前記実施形態にて説明した部材と同じ機能を有する部材については、同じ符号を付記し、その説明を省略する。
【００５０】
（ドレン水の処理）
冷房運転モードでは、膨張弁で減圧されて低温になった冷媒が蒸発器を冷やすため、空気中の水蒸気が蒸発器で結露し水滴が生じる。冷房運転の継続によって水滴は発生し続けドレン水となるので、ドレン水の処理が必要になる。図３に示す可搬型空調機１０Ａは、ドレン水を一時的に貯めるドレンタンク１７を備えているが、可搬型空調機１０Ａを小型化するためにはドレンタンク１７を備えていない方がよい。
【００５１】
図９は、ドレンタンクの設け方に工夫を加えたペット用空調システム１Ｂを示す斜視図である。ペット用空調システム１Ｂは、ドレンタンクを省略して可搬型空調機１０Ａよりも小型化した可搬型空調機１０Ｂと、ドレンタンク９０（貯水容器）上に載置したマット部３０Ａとを備えている。すなわち、ドレンタンク９０はマット部３０Ａの底面に接して配置されている。
【００５２】
ドレンタンク９０の側面には、それぞれ受水管９１と排水管９２とが設けられている。受水管９１は、可搬型空調機１０Ｂで発生したドレン水を受け取り、そのドレン水をドレンタンク９０内へ案内する。排水管９２は、ドレンタンク９０に貯まったドレン水を排水するために用いられる。なお、排水管９２には、排水時に排水管９２を開き、通常は排水管９２を閉じておくことができるコック等の開閉部材が備わっている。受水管９１にも、排水時に受水管９１を閉じ、通常は受水管９１を開いておくことができるコック等の開閉部材を設けておくことが好ましい。また、受水管９１と可搬型空調機１０Ｂの排水部とはドレンホース９３を介して接続されている。受水管９１とドレンホース９３との接続器具としてワンショットカプラ等を採用できる。
【００５３】
上記の構成により、冷房運転時に可搬型空調機１０Ｂで発生したドレン水は、可搬型空調機１０Ｂからドレンホース９３を通ってドレンタンク９０に貯められる。ドレンタンク９０をマット部３０Ａの底面に接して配置したので、マット部３０Ａの設置スペースがドレンタンク９０の設置スペースとなっている。したがって、可搬型空調機１０Ｂを小型化できる上に、ペット用空調システム１Ｂの省スペース化も実現することができる。
【００５４】
また、ドレンタンク９０の高さを変えることによってペット用空調システム１Ｂの設置スペースを変えることなく、ドレンタンク９０の容量を増減させることができる。ドレンタンク９０の高さを大きくして容量を大きくした場合には、冷房の連続運転時間を長くすることができる。
【００５５】
さらに、冷房運転時に発生する冷たいドレン水が、マット部３０Ａの直下に貯まるので、ドレンタンク９０はマット部に対する冷却源として作用する。その結果、冷房運転のエネルギコストを節約することができる。
【００５６】
なお、マット部にペルチェ素子を設けた従来機では、ペルチェ素子で発生する結露水を容器に貯める経路にペットの体毛などが異物として詰まり、結露水がオーバーフローするおそれがあった。しかし、本態様では、可搬型空調機１０Ｂからドレンホース９３を通ってドレンタンク９０にドレン水を貯めるため、マット部３０Ａ上で寛ぐペットの体毛などが異物として混入するおそれがない。
【００５７】
（ドレンタンクの変形例１）
図１０は、ドレンタンク９０に代わるドレンタンク９０−１の構成を示す説明図である。図１０の（ａ）（ｂ）に示すように、ドレンタンク９０は上層部９０Ａおよび下層部９０Ｂの２層に分かれた構造になっている。上層部９０Ａと下層部９０Ｂとは仕切り９４によって分けられている。仕切り９４の周縁部の一部にはオーバーフロー管９５（連通構造）が設けられ、上層部９０Ａと下層部９０Ｂとはオーバーフロー管９５において連通している。オーバーフロー管９５は、仕切り９４の表面から立ち上がり、その高さは上層部９０Ａの高さ未満に設定されている。また、前記受水管９１は上層部９０Ａの側壁に取り付けられ、前記排水管９２は下層部９０Ｂの側壁に取り付けられている。
【００５８】
上記の構成において、受水管９１から流れ込むドレン水はまず上層部９０Ａに貯められる。上層部９０Ａがドレン水で満水になると、図１０の（ａ）（ｂ）に矢印にて示すように、ドレン水はオーバーフロー管９５にてオーバーフローし、下層部９０Ｂに貯められる。下層部９０Ｂも満水になった場合には、可搬型空調機１０Ｂの運転をオフにし、ドレンタンク９０に貯まったドレン水を排水管９２から、あるいは受水管９１と排水管９２との両方から排水する。
【００５９】
上記の構成によれば、マット部３０Ａの底面に近い上層部９０Ａに冷たいドレン水が貯まるので、マット部３０Ａに対する上記冷却源としての作用は、ドレンタンク９０よりもドレンタンク９０−１の方が強まることになる。また、上層部９０Ａに貯まったドレン水が下層部９０Ｂへオーバーフローする構造なので、上層部９０Ａのドレン水は常に冷たいドレン水に入れ替わる。このため、マット部３０Ａの底面を低い温度に保つ効果が増進する。この観点では、オーバーフロー管９５の高さができるだけ上層部９０Ａの高さに近い方が、上層部９０Ａが満水になったときの水面がマット部３０Ａの底面により近づくので好ましい。また、上層部９０Ａの容量を下層部９０Ｂの容量より小さく設定することが、上層部９０Ａの満水を早めるとともに、上層部９０Ａのドレン水が新たなドレン水に置き換わる時間も早まるので、マット部３０Ａに対する冷却効果を強めるので好ましい。
【００６０】
なお、オーバーフロー管９５を仕切り９４の中央部よりも周縁部に設ける方が好ましい理由は、周縁部の方が中央部よりもペットの体重がかかりにくいからである。オーバーフロー管９５を仕切り９４の中央部に設けた場合、ペットの体重によってドレンタンク９０−１の上面が押し下げられ、オーバーフロー管９５の上端がドレンタンク９０−１の上面によって塞がれるおそれがある。こうなると、オーバーフローが妨げられるので、上層部９０Ａが満水になっただけなのにもかかわらずドレンタンク９０−１が満水になったという誤検知が発生する。したがって、オーバーフロー管９５を仕切り９４の周縁部に設けると、そのような誤検知の発生を防止し易くなる。
【００６１】
（ドレンタンクの変形例２）
図１１は、マット部およびドレンタンクの変形例を示す説明図である。まず、図１１の（ｃ）を参照して、ドレンタンクの他の変形例について説明する。ドレンタンク９０−２は、メインタンク９６（メイン容量部）とサブタンク９７（サブ容量部）とを備えている。メインタンク９６とサブタンク９７とは一体化されているが、連通はしておらず分かれている。サブタンク９７の上面には流路９８（通路部）が形成されている。流路９８は、上記受水管９１と連通しているとともに、メインタンク９６とも連通している。一方、サブタンク９７の上面には開口部９７ａが形成され、サブタンク９７と流路９８との連通を開閉する回動式またはスライド式の蓋のような開閉機構９９が開口部９７ａに設けられている。この開閉機構９９は、ドレンタンク９０−２からドレン水を捨てるときにだけ開状態とされ、サブタンク９７と流路９８とを連通させる。すなわち、冷房運転中は、上記開閉機構９９は閉状態になっている。
【００６２】
上記の構成によれば、冷房運転時に可搬型空調機１０Ｂで発生したドレン水は、流路９８に流れ込んだ後、流路９８からメインタンク９６へと流れ込む。上記開口部９７ａは、少なくとも冷房運転中に開閉機構９９によって閉じられているので、冷房運転中にドレン水がサブタンク９７に流れ込むことはない。やがてメインタンク９６がドレン水で満たされたときに、開口部９７ａを閉じていた開閉機構９９を開くと、図９に示すドレンホース９３とその接続部位とに貯まっている比較的少量のドレン水をサブタンク９７（キャビティ部）に流し落とすことができる。こうすることによって、ドレンタンク９０−２からドレン水を捨てるときに、可搬型空調機１０Ｂとドレンタンク９０−２との間の途中経路に貯まっているドレン水が可搬型空調機１０Ｂの周囲にこぼれ出す不具合を回避することができる。
【００６３】
なお、上記開閉機構９９として、ゴム製パッキンを取り付けた蓋を採用できる。この蓋を回動式とする場合には、サブタンク９７の上面に手動レバーを付設した回動軸を設け、ユーザが手動レバーを回転させることによって、蓋を回動軸の周りに上下にスイングさせて開閉することができる。
【００６４】
（マット部の変形例）
次に、図１１を参照して、マット部３０Ａに代わるマット部３０Ｂについて説明する。図１１の（ａ）〜（ｃ）は、ベース部の内部の断面構成を模式的に表したマット部３０Ｂを示している。マット部３０Ｂは、その内部にクッション部材３４を備え、さらにクッション部材３４の周囲を囲うように、図１１の（ｄ）に示す環状の通風管３５を備えている。マット部３０Ｂの外表面は、実施形態１で既に説明したような通気性のあるカバー３６（カバー部）で覆われている。クッション部材３４には、例えば柔軟で弾力性を持たせた中空の樹脂製細管の集合体を採用することができる。
【００６５】
通風管３５の内側の環状側面には、一周にわたって並ぶ複数の孔３７が形成されている。また、通風管３５の外側の環状側面の一部には、前記送風ダクト２０または２０Ａに接続される接続管３８が突き出して設けられている。
【００６６】
上記の構成によれば、送風ダクト２０または２０Ａを通った風は接続管３８から通風管３５内へ送り込まれ、図１１の（ｂ）（ｄ）に矢印にて示すように、通風管３５内を流れながら複数の孔３７からマット部３０Ｂの中央に向けて吹き出す。クッション部材３４には全体的に空隙がランダムに存在し、かつマット部３０Ｂは、その上面のみが通気性を備えている。このため、複数の孔３７から吹き出した気流は、クッション部材３４の空隙を通ってマット部３０Ｂの上面のカバー３６を介して穏やかに立ち上る。
【００６７】
〔実施形態３〕
本発明の実施形態３について、図１２を参照して説明する。なお、説明の便宜上、前記実施形態にて説明した部材と同じ機能を有する部材については、同じ符号を付記し、その説明を省略する。
【００６８】
（ドレン水の満水検知）
実施形態２で説明したように、冷房運転の継続によって発生するドレン水はドレンタンクに貯められるが、時間経過に伴ってドレンタンクは満水状態になる。この満水状態を自動的に検知し、ユーザにドレン水の廃棄時期が到来したことを知らせることが好ましい。さらに、既に説明したように、ドレンタンクの満水状態を検知するセンサ等の電子部品をマット部に設けず、可搬型空調機に設けることが、電気的なトラブルの発生を回避する上で好ましい。
【００６９】
（満水検知の構成）
図１２は、満水検知の構成に工夫を加えたペット用空調システム１Ｃを示す説明図である。ペット用空調システム１Ｃは、可搬型空調機１０Ｃとドレンタンク９０（９０−１，９０−２）とを備え、可搬型空調機１０Ｃとドレンタンク９０とは前記ドレンホース９３によって接続されている。可搬型空調機１０Ｃに内蔵された蒸発部４０Ａの下方には、蒸発器４１で発生するドレン水を受ける、例えばトレイ状の受水部１１０が設けられている。受水部１１０の底部には排水口が形成されているので、その排水口とドレンタンク９０とが、ドレンホース９３を介して接続されている。さらに、受水部１１０の近傍に、受水部１１０の満水を検知するセンサ１１１（第２センサ）が設けられている。
【００７０】
センサ１１１として、例えば、受水部１１０の内壁に取り付け、受水部１１０に貯められるドレン水の水位を検知する水位計を採用することができる。センサ１１１が満水を検知したときの出力信号は、例えば図７にて説明した制御部８２に送られる。これに応じて、制御部８２は、空調部４０に備えられた報知部に報知動作（音、音声、光または画像など）を実行させる。
【００７１】
上記の構成によれば、ドレンタンク９０が満水になると、ドレンタンク９０に収まらなくなったドレン水はドレンホース９３に貯まった後、最終的には受水部１１０に貯められる。すなわち、ドレンタンク９０が満水になった後しばらくして受水部１１０が満水になる。受水部１１０の満水はセンサ１１１によって検知され、ユーザに報知される。こうして、ドレンタンク９０の満水を可搬型空調機１０Ｃにおいて検知することができる。
【００７２】
また、ドレンホース９３が、異物混入または折れ曲がり等が原因となって閉塞した場合でも、センサ１１１は受水部１１０の満水を検知することができる。よって、ドレンホース９３の閉塞によってドレン水が可搬型空調機１０Ｃ内に溢れ出すトラブルの発生を未然に防ぐことができる。さらに、受水部１１０の容量はドレンタンク９０の容量と比較して極めて小さくて構わないので、可搬型空調機１０Ｃを可搬型空調機１０Ｂと同様に小型化することができる。
【００７３】
〔実施形態４〕
本発明の実施形態４について、図１３，１４を参照して説明する。なお、説明の便宜上、前記実施形態にて説明した部材と同じ機能を有する部材については、同じ符号を付記し、その説明を省略する。
【００７４】
実施形態１の可搬型空調機１０Ａは、四方弁４８によって、冷房運転モードの冷媒回路（ヒートポンプ回路）と暖房運転モードの冷媒回路（ヒートポンプ回路）とを切り換えている。しかしながら、四方弁４８を省略することができれば、部品点数を減らせる上に、複雑なヒートポンプ回路の設計をしなくてよいので、可搬型空調機１０Ａの小型化とコストダウンとを実現することができる。
【００７５】
図１３は、四方弁４８の省略を実現する可搬型空調機の一構成例を示す説明図である。本実施形態の可搬型空調機は、図５に示すように、四方弁４８を備えておらず、既に説明した第１ファンケーシング４２および第２ファンケーシング４６を備えている。但し、図１３に示すように、各ファンケーシング４２および４６は一体となって、シロッコファン４３，４７の回転軸４４を中心として所定角度（例えば９０度）回転でき、回転前の第１状態と回転後の第２状態とを取り得るようになっている。
【００７６】
なお、第１状態は冷房運転モードに対応しており、第２状態は暖房運転モードに対応している。各ファンケーシング４２および４６は、ユーザが可搬型空調機に対して冷房運転を指示すると自動的に第１状態を取り、暖房運転を指示すると自動的に第２状態を取る。
【００７７】
図１４は、本可搬型空調機のケース１１Ｄの構成を概略的に示す斜視図である。図１４の（ａ）（ｂ）に示すように、ケース１１Ｄの１側面には、上記第１状態に対応して冷風を送出する送風口１８Ｌ（第１送風口）が設けられている。また、送風口１８Ｌとは吹き出す風の向きが異なる位置、例えば上記１側面の対向に位置する他の側面には、上記第２状態に対応して温風を送出する送風口１８Ｒ（第２送風口）が設けられている。また、送風口１８Ｌおよび１８Ｒとは吹き出す風の向きがさらに異なる位置、例えばケース１１Ｄの天面には、排気口１９が設けられている。
【００７８】
上記の構成において、上記第１状態（冷房運転モード）では、冷風を送風口１８Ｌから送出し、送風口１８Ｌに接続された送風ダクト２０（図１４の（ａ））を介してマット部３０に送り込むことができる。すなわち、図５および図１３に示すように、蒸発器４１で冷やされた空気はシロッコファン４３によって第１ファンケーシング４２の第１出口Ｅから冷風となって送出され、第１出口Ｅに位置合わせされた送風口１８Ｌから送出される。これにより、マット部３０は冷却される。
【００７９】
また、これと同時に、凝縮器４５で温められた空気はシロッコファン４７によって第２ファンケーシング４６の第２出口Ｆから温風となって送出され、第２出口Ｆに位置合わせされた排気口１９から排出される。
【００８０】
一方、上記第２状態（暖房運転モード）では、各ファンケーシング４２および４６を一体的に所定角度回転させることにより、温風を送風口１８Ｒから送出し、送風口１８Ｒに付け替えられた送風ダクト２０（図１４の（ｂ））を介してマット部３０に送り込むことができる。すなわち、図１３に示すように、凝縮器４５で温められた空気はシロッコファン４７によって第２ファンケーシング４６の第２出口Ｆから温風となって送出される。このとき、第２出口Ｆは第１状態から所定角度回転しているので、その第２出口Ｆに位置合わせされた送風口１８Ｒから送出される。これにより、マット部３０は温められる。
【００８１】
また、これと同時に、蒸発器４１を通る冷たい空気はシロッコファン４３によって第１ファンケーシング４２の第１出口Ｅから冷風となって送出される。このとき、第１出口Ｅは第１状態から同じく上記所定角度回転しているので、その第１出口Ｅに位置合わせされた排気口１９から排出される。
【００８２】
なお、送風口１８Ｌと送風口１８Ｒとは送風方向が（例えば１８０度）異なっているので、ユーザは、可搬型空調機とマット部との向き合わせ方を、冷房運転モードと暖房運転モードとで変えることになる。
【００８３】
〔実施形態５〕
本発明の実施形態５について、図１５〜１９を参照して説明する。なお、説明の便宜上、前記実施形態にて説明した部材と同じ機能を有する部材については、同じ符号を付記し、その説明を省略する。本実施形態では、引き続き、四方弁を用いずにマット部を冷房および暖房することができる可搬型空調機について説明する。図１５は、四方弁の省略を実現する可搬型空調機１０Ｅの構成を、ケース１１Ｅの一部を破断して示す説明図である。
【００８４】
（可搬型空調機の構成）
可搬型空調機１０Ｅは、四方弁を用いずに冷風の気流路と温風の気流路とを機械的に切り換えるダクト切換弁１００（気流路切換部、回転式切換弁）をケース１１Ｅ内に備えている。ダクト切換弁１００は、ケース１１Ｅの底面に平行な上面および下面を有した扁平な円筒形状を成している。また、ダクト切換弁１００は、ケース１１Ｅの高さ方向の途中位置において、上記円筒形状の中心軸の周りに回動可能になっている。
【００８５】
ダクト切換弁１００の上面の上側には、ケース１１Ｅの高さ方向に延び、ケース１１Ｅにそれぞれ固定された送風ダクト２２Ｅおよび排気ダクト２３Ｅが設けられている。送風ダクト２２Ｅと排気ダクト２３Ｅとは、ダクト切換弁１００の直径方向に対向している。送風ダクト２２Ｅおよび排気ダクト２３Ｅは、ダクト切換弁１００が回動しても動くことはない。また、送風ダクト２２Ｅには、冷風または温風をダクト切換弁１００の直径方向（略水平方向）に沿って外部へ吹き出す送風口１２Ｅが形成されている。この送風口１２Ｅに合わせて、ケース１１Ｅにも送風口（不図示）が形成されている。さらに、ケース１１Ｅの平坦な天面には、排気ダクト２３Ｅに合わせて排気口１３Ｅが形成されている。
【００８６】
送風ダクト２２Ｅおよび排気ダクト２３Ｅは、冷房運転および暖房運転の両方に共用され、その役割が運転モードによって入れ替わることがない。したがって、可搬型空調機１０Ｅでは、実施形態４のように、運転モードに応じて送風ダクトを付け替えたり、可搬型空調機とマット部との向き合わせ方を変えたりする手間がかからない。
【００８７】
ダクト切換弁１００の下面の下側には、蒸発部と凝縮部とが、ケース１１Ｅに対して固定的に設けられている。すなわち、蒸発部および凝縮部は、ダクト切換弁１００が回動しても動くことはない。蒸発部は、第１ファンケーシング４２Ｅおよびシロッコファン４３Ｅ（第１ファン；図１８（ｂ）参照）と蒸発器（不図示）とを含んでいる。凝縮部は、第２ファンケーシング４６Ｅおよびシロッコファン４７Ｅ（第２ファン）と、第２ファンケーシング４６Ｅの気流出口に接続されたダクト２１Ｅと凝縮器（不図示）とを含んでいる。ケース１１Ｅの底面には、圧縮機４９Ｅが設けられている。
【００８８】
（ダクト切換弁の構成）
図１６はダクト切換弁１００の構成を示す説明図であり、（ａ）はダクト切換弁１００の斜視図、（ｂ）は（ａ）に示すＡ−Ａ線に沿ってダクト切換弁１００を矢印の方向に見た斜視断面図である。ダクト切換弁１００には、その下面から上面に向かって斜めに貫通する排気路１０１と、その下面から上面に向かってケース１１Ｅの高さ方向に貫通する第１通風路１０２および第２通風路１０３とが形成されている。第１通風路１０２および第２通風路１０３は排気路１０１を挟むように形成されている。
【００８９】
より具体的には、ダクト切換弁１００を平面視した場合の円形の上面において、第１通風路１０２と第２通風路１０３とは互いに所定の間隔を開けて、かつ外周寄りの位置に形成されている。上記排気路１０１は、下面の外周寄りに形成された排気受口１０１ａを備えている。つまり、排気受口１０１ａは、下面における第１通風路１０２の開口と第２通風路１０３の開口との間の位置で開口している。また、排気路１０１は、円筒形状の中心を挟んで排気受口１０１ａと対角的に対向した位置で上面に開口する排気出口１０１ｂを備えている。さらに、排気路１０１は、排気受口１０１ａと排気出口１０１ｂとを斜めに連通させる傾斜路１０１ｃを備えている。
【００９０】
上記の構成によれば、排気路１０１を通って排気される冷風または温風は、ダクト切換弁１００の上面において、第１通風路１０２および第２通風路１０３から離れた位置で排出されることになる。この目的を達成する観点では、排気路１０１の構成は図１６の（ａ）に示す構成に限定されない。すなわち、傾斜路１０１ｃの下面または上面に対する傾き角度、傾斜路１０１ｃの長さおよび上面における排気出口１０１ｂの位置は、前述の送風ダクト２２Ｅと排気ダクト２３Ｅとをケース１１Ｅ内にどのようにレイアウトするかに応じて決定すればよい。したがって、傾斜路１０１ｃは直線状であってもよいし曲線状であってもよい。
【００９１】
なお、送風ダクト２２Ｅの下面の中心に対して排気受口１０１ａの中心と第１通風路１０２の開口の中心とが作る開き角（中心角；図１８に示すθ）と、排気受口１０１ａの中心と第２通風路１０３の開口の中心とが作る開き角（中心角；図１８に示すθ）とは、等しいことが冷風路と温風路との切り換えにとって好ましい。この点について後で詳述する。
【００９２】
（気流路の切り換えを示す図の説明）
図１７〜１９を参照して、気流路の切り換え、つまりマット部３０に冷風を送る冷風路とマット部３０に温風を送る温風路との切り換えの仕組みについて説明する。図１７は、冷風路および温風路の形成を示す一部透視図を含む説明図であり、（ａ）は冷房運転モードにおける冷風路の形成を示し、（ｂ）は暖房運転モードにおける温風路の形成を示している。図１８は、冷房運転モードにおける冷風路の形成を示す説明図であり、（ａ）はダクト切換弁と送風ダクト２２Ｅおよび排気ダクト２３Ｅとの位置関係を示す模式的平面図であり、（ｂ）は（ａ）に示すＢ−Ｂ’線に沿う矢視断面図である。図１９は、暖房運転モードにおける温風路の形成を示す説明図であり、（ａ）はダクト切換弁と送風ダクト２２Ｅおよび排気ダクト２３Ｅとの位置関係を示す模式的平面図であり、（ｂ）は（ａ）に示すＣ−Ｃ’線に沿う矢視断面図である。
【００９３】
（気流路の切り換え動作の概要）
図１７の（ａ）（ｂ）に示すように、ダクト切換弁１００は、その円筒形状の中心軸の周りに回動することによって、下側に配置された蒸発部および凝縮部に対する位置を、第１回転位置と第２回転位置との間で切り換える。第１回転位置は冷房運転モードに対して選択され、第２回転位置は暖房運転モードに対して選択される。
【００９４】
より具体的には、図１７の（ａ）に示すように、第１回転位置では、蒸発部の第１ファンケーシング４２Ｅの直上に第１通風路１０２が位置合わせされ、凝縮部の第２ファンケーシング４６Ｅおよびダクト２１Ｅの直上に排気路１０１が位置合わせされる。また、図１７の（ｂ）に示すように、第２回転位置では、蒸発部の第１ファンケーシング４２Ｅの直上に排気路１０１が位置合わせされ、凝縮部の第２ファンケーシング４６Ｅおよびダクト２１Ｅの直上に第２通風路１０３が位置合わせされる。
【００９５】
このようにして、冷房運転モードにおける冷風路および温風の排気路（以下、温排気路と呼ぶ）の前半部が形成されるとともに、暖房運転モードにおける温風路および冷風の排気路（以下、冷排気路と呼ぶ）の前半部が形成される。
【００９６】
（冷房運転モードにおける気流路の形成）
まず、図１５を参照して説明した送風ダクト２２Ｅおよび排気ダクト２３Ｅの構成について補足する。図１８の（ａ）に示すように、送風ダクト２２Ｅを構成するハウジングは、ダクト切換弁１００の下面における第１通風路１０２の開口と排気受口１０１ａとがなす間隔より広い横幅を有している。そして、送風ダクト２２Ｅを立てた状態で正面から見たとき、送風ダクト２２Ｅの正面に開口している送風口１２Ｅの横幅は、上記ハウジングの横幅より狭くなっている。なお、ダクト切換弁１００の下面の中心に対して、下面における第１通風路１０２の開口の中心と排気受口１０１ａの中心とがなす角度（中心角）をθとする。
【００９７】
排気ダクト２３Ｅのハウジングの横幅は、ダクト切換弁の上面に開口する排気出口１０１ｂが上記角度θの範囲で回動するので、角度θの範囲をカバーできる広さを有している。結果的には、送風ダクト２２Ｅのハウジングの横幅と排気ダクト２３Ｅのハウジングの横幅とを等しく設定すればよい。
【００９８】
図１８の（ａ）に示すように、冷房運転モード時にダクト切換弁１００が上記第１回転位置にあるとき、図１８の（ｂ）に示すように、第１通風路１０２上に送風ダクト２２Ｅが位置し、排気出口１０１ｂの上に排気ダクト２３Ｅが位置する。この結果、蒸発部の第１ファンケーシング４２Ｅ→第１通風路１０２→送風ダクト２２Ｅ→送風口１２Ｅという冷風路が形成される。また一方で、凝縮部の第２ファンケーシング４６Ｅ→ダクト２１Ｅ→排気路１０１→排気ダクト２３Ｅ→排気口１３Ｅという温排気路が形成される。
【００９９】
（暖房運転モードにおける気流路の形成）
図１９の（ａ）に示すように、暖房運転モード時には、ダクト切換弁１００を上方から見たときに、ダクト切換弁１００が第１回転位置から反時計回りに上記角度θ回転した第２回転位置に在る。ダクト切換弁１００が第２回転位置にあるとき、図１９の（ｂ）に示すように、第２通風路１０３上に送風ダクト２２Ｅが位置し、排気出口１０１ｂの上に排気ダクト２３Ｅが位置する。この結果、凝縮部の第２ファンケーシング４６Ｅ→ダクト２１Ｅ→第２通風路１０３→送風ダクト２２Ｅ→送風口１２Ｅという温風路が形成される。また一方で、蒸発部の第１ファンケーシング４２Ｅ→排気路１０１→排気ダクト２３Ｅ→排気口１３Ｅという冷排気路が形成される。
【０１００】
〔実施形態６〕
本発明の実施形態６について、図２０を参照して説明する。なお、説明の便宜上、前記実施形態にて説明した部材と同じ機能を有する部材については、同じ符号を付記し、その説明を省略する。本実施形態では、引き続き、四方弁を用いずにマット部を冷房および暖房することができる可搬型空調機を実現可能な他の気流路切換部ついて説明する。図２０の（ａ）〜（ｃ）は暖房運転モードに対応し、（ｄ）〜（ｆ）は冷房運転モードに対応しており、（ａ）および（ｄ）は気流路切換部２００が備えているダンパ２０１の回転軸に平行な方向から気流路切換部２００を見た断面図であり、（ｂ）は（ａ）に示すＤ−Ｄ線に沿う矢視断面図、（ｃ）は（ａ）に示すＥ−Ｅ線に沿う矢視断面図、（ｅ）は（ｄ）に示すＦ−Ｆ線に沿う矢視断面図、（ｆ）は（ｄ）に示すＧ−Ｇ線に沿う矢視断面図である。
【０１０１】
（可搬型空調機の構成）
上記気流路切換部２００を図５に示す四方弁を備えていない可搬型空調機に適用する形態において、可搬型空調機の構成について説明を補足する。
【０１０２】
まず、図５に示す可搬型空調機において、上方向をＺ軸の正方向、正面方向をＸ軸の正方向、シロッコファン４３およびシロッコファン４７の共通回転軸に平行な方向であって、シロッコファン４７からシロッコファン４３に向かう方向をＹ軸の正方向とする。
【０１０３】
図５に示す可搬型空調機では、凝縮部の第２出口Ｆから暖気流がＺ軸の正方向に送出され、蒸発部の第１出口Ｅから冷気流がＸ軸の正方向に送出されるが、本実施形態の可搬型空調機では、第１出口Ｅからの冷気流も第２出口Ｆからの暖気流も、Ｚ軸の正方向に送出されるようになっている。すなわち、第１ファンケーシング４２は、第１出口ＥがＺ軸の正方向に向くように、図５に示す状態から９０度回転して固定されている。
【０１０４】
（気流路切換部の構成）
気流路切換部２００は、Ｚ軸の正方向における高さがＸ軸およびＹ軸に平行な幅より小さい扁平な直方体形状の筐体２０２を備えている。筐体２０２の上面は閉じられ、筐体２０２におけるＸ軸の正方向（正面方向）は開口され、空調された風の送風口２０３となっている。また、筐体２０２におけるＸ軸の負方向（背面方向）も開口され、排気口２０４となっている。さらに、筐体２０２の下面には、蒸発部の第１出口Ｅを覆ってＺ軸の正方向に延び出た冷気ダクト２０５（冷気路）が接続されているとともに、凝縮部の第２出口Ｆを覆ってＺ軸の正方向に延び出た暖気ダクト２０６（暖気路）が接続されている。なお、筐体２０２のＹ軸に垂直な２つの側面のうち、冷気ダクト２０５側の側面を側面２０２Ｒとし、暖気ダクト２０６側の側面を側面２０２Ｌとする。
【０１０５】
図２０の（ｃ）に示すように、上記ダンパ２０１（平板）は、Ｚ軸に平行な回動軸２１０を持ち、回動軸２１０を中心として軸対称な長方形状を備えている。上記回動軸２１０は、筐体２０２の中央に固定されている。短辺はＺ軸に平行であり、当該短辺の長さは、筐体２０２のＺ軸に平行な高さとほぼ等しい。一方、長辺の長さは以下のように設定されている。すなわち、図２０の（ａ）に示すように、ダンパ２０１がＹＺ面に対して傾斜したときに、ダンパ２０１の一端２０１ａ（第１回動端縁）が上記側面２０２Ｌ（または２０２Ｒ）に接し、他端２０１ｂ（第２回動端縁）が上記側面２０２Ｒ（または２０２Ｌ）に接する長さを、上記長辺は備えている。
【０１０６】
ダンパ２０１は、ＹＺ面に対して２種類の傾斜状態を取ることによって、筐体２０２内の空間を冷気流路と暖気流路とに仕切るとともに、上記送風口２０３が送出する冷気と暖気とを切り換える。言い換えると、ダンパ２０１は、送風口２０３と排気口２０４とを空間的に分離する。ダンパ２０１が冷気流路と暖気流路とを仕切るときの互いの気密性を確実にするために、側面２０２Ｌおよび２０２Ｒにはシール部材２１１ａ〜２１１ｄが固着されている。
【０１０７】
図２０の（ｄ）〜（ｆ）は、冷房運転モードに対応した第１の傾斜状態を示している。また、図２０の（ａ）〜（ｃ）は、暖房運転モードに対応した第２の傾斜状態を示している。ここで、図２０の（ａ）〜（ｃ）を参照して、シール部材２１１ａ〜２１１ｄの詳細を説明する。
【０１０８】
図２０の（ａ）（ｃ）に示すように、側面２０２Ｌの内面に固着されたシール部材２１１ａは断面が台形状をした四角柱の形状を有し、四角柱の高さは筐体２０２のＺ軸に平行な高さとほぼ等しい。四角柱の側面のうち、Ｙ軸の正方向に向いた側面２１１ａ−１はＹ軸に平行な方向に対して傾斜している。第１の傾斜状態では、ダンパ２０１の一端２０１ａ近傍と側面２１１ａ−１とは面接触し、冷気流路と暖気流路との間の気密性を確保するようになっている。側面２０２Ｒの内面に固着されたシール部材２１１ｄは、形状および筐体２０２における配設位置に関して、シール部材２１１ａと回動軸２１０を中心として軸対称になっている。すなわち、第１の傾斜状態では、ダンパ２０１の他端２０１ｂ近傍とシール部材２１１ｄの側面２１１ｄ−１とは面接触し、気密性を確保するようになっている。
【０１０９】
同様に、第２の傾斜状態において、冷気流路と暖気流路との間の気密性を確保するために、シール部材２１１ｂの側面２１１ｂ−１が、ダンパ２０１の一端２０１ａ近傍と面接触するように、シール部材２１１ｂが側面２０２Ｒの内面に固着されている。また、シール部材２１１ｃの側面２１１ｃ−１が、ダンパ２０１の他端２０１ｂ近傍と面接触するように、シール部材２１１ｃが側面２０２Ｌの内面に固着されている。
【０１１０】
なお、シール部材２１１ａ〜２１１ｄは弾性を備えており、その材質は例えばガスケットのシール部材に汎用される各種ゴムから選択することができる。
【０１１１】
（冷気流路と暖気流路との切り換え動作：冷房運転モード）
上記の構成において、冷房運転モードでは、ダンパ２０１は図２０の（ｄ）に示す上記第１傾斜状態を取る。このとき、蒸発部の第１出口ＥからＺ軸の正方向に送出される冷気は、冷気ダクト２０５を通って筐体２０２内に入り、第１傾斜状態のダンパ２０１のＹ軸正方向に向いた面および筐体２０２内の天井面に案内されて送風口２０３からＸ軸の正方向に吹き出す。つまり、冷房運転モードでは、蒸発部の第１出口Ｅ→冷気ダクト２０５→ダンパ２０１（Ｙ軸正方向側）および筐体２０２→送風口２０３という経路の冷気流路が形成される。
【０１１２】
また、凝縮部の第２出口ＦからＺ軸の正方向に排気される温排気は、暖気ダクト２０６を通って筐体２０２内に入り、第１傾斜状態のダンパ２０１のＹ軸負方向に向いた面および筐体２０２内の天井面に案内されて排気口２０４からＸ軸の負方向に吹き出す。つまり、冷房運転モードでは、温排気路として、凝縮部の第２出口Ｆ→暖気ダクト２０６→ダンパ２０１（Ｙ軸負方向側）および筐体２０２→排気口２０４という経路が形成される。
【０１１３】
（冷気流路と暖気流路との切り換え動作：暖房運転モード）
一方、暖房運転モードでは、ダンパ２０１は図２０の（ａ）に示す上記第２傾斜状態を取る。このとき、凝縮部の第２出口ＦからＺ軸の正方向に送出される暖気は、暖気ダクト２０６を通って筐体２０２内に入り、第２傾斜状態のダンパ２０１のＹ軸負方向に向いた面および筐体２０２内の天井面に案内されて送風口２０３からＸ軸の正方向に吹き出す。つまり、暖房運転モードでは、暖気路として、凝縮部の第２出口Ｆ→暖気ダクト２０６→ダンパ２０１（Ｙ軸負方向側）および筐体２０２→送風口２０３という経路が形成される。
【０１１４】
また、蒸発部の第１出口ＥからＺ軸の正方向に排気される冷排気は、冷気ダクト２０５を通って筐体２０２内に入り、第２傾斜状態のダンパ２０１のＹ軸正方向に向いた面および筐体２０２内の天井面に案内されて排気口２０４からＸ軸の負方向に吹き出す。つまり、暖房運転モードでは、冷排気路として、蒸発部の第１出口Ｅ→冷気ダクト２０５→ダンパ２０１（Ｙ軸正方向側）および筐体２０２→排気口２０４という経路が形成される。
【０１１５】
以上のように、本実施形態の気流路切換部２００を備えた可搬型空調機では、実施形態５と同様に、運転モードに応じて送風ダクトを付け替えたり、可搬型空調機とマット部との向き合わせ方を変えたりする手間がかからない。
【０１１６】
〔実施形態７〕
本発明の実施形態７について、図２１を参照して説明する。なお、説明の便宜上、前記実施形態にて説明した部材と同じ機能を有する部材については、同じ符号を付記し、その説明を省略する。本実施形態では、引き続き、四方弁を用いずにマット部を冷房および暖房することができる可搬型空調機を実現可能なさらに他の気流路切換部ついて説明する。
【０１１７】
図２１は、気流路切換部として機能するダクト切換機３００の構成を示す説明図であり、（ａ）はダクト切換機３００の斜視図、（ｂ）はダクト切換機３００の分解斜視図であり冷房運転モードにおける気流路の様子を示し、（ｃ）は冷房運転モードにおける切換プレート３１０の正面図、（ｄ）はダクト切換機３００の分解斜視図であり暖房運転モードにおける気流路の様子を示し、（ｅ）は暖房運転モードにおける切換プレート３１０の正面図である。
【０１１８】
（可搬型空調機の構成）
上記ダクト切換機３００を図５に示す四方弁を備えていない可搬型空調機に適用する形態において、可搬型空調機の構成について説明を補足する。図５に示す可搬型空調機では、凝縮部の第２出口Ｆから暖気流がＺ軸の正方向に送出され、蒸発部の第１出口Ｅから冷気流がＸ軸の正方向に送出されるが、本実施形態の可搬型空調機では、第１出口Ｅからの冷気流も第２出口Ｆからの暖気流も、Ｘ軸の正方向に送出されるようになっている。すなわち、第２ファンケーシング４６は、第２出口ＦがＸ軸の正方向に向くように、図５に示す状態から９０度回転して固定されている。
【０１１９】
（ダクト切換機３００の構成）
ダクト切換機３００は、第１通風路３０１と、第２通風路３０２と、第１通風路３０１と第２通風路３０２とに挟まれた切換プレート３１０（回転式切換弁）とを備えている。第１通風路３０１は、上記蒸発部に接続された冷風路３０１ａと上記凝縮部に接続された温風路３０１ｂとを通風方向に沿って分離する第１仕切３０３を備えている。より具体的には、冷風路３０１ａは、図５に示すようにＸ軸の正方向に向いた第１ファンケーシング４２の第１出口Ｅと接続または連通されている。温風路３０１ｂは、図５に示す状態から９０度回転してＸ軸の正方向に向いた第２ファンケーシング４６の第２出口Ｆと接続または連通されている。
【０１２０】
第１通風路３０１は、例えば円筒形状をなしている。第１仕切３０３は、例えばその円筒形状の中心軸を含む平板状をなしている。該円筒形状の中心軸に垂直な断面を考えた場合、冷風路３０１ａおよび温風路３０１ｂの断面は、それぞれ半円形をなしている。
【０１２１】
第２通風路３０２は、図３に示すケース１１の上記送風口１２に接続された送風路３０２ａと、図３に示すケース１１の上記排気口１３に、例えばＬ字型ダクト（不図示）を介して接続された排気路３０２ｂとを通風方向に沿って分離する第２仕切３０４を備えている。但し、第１通風路３０１および第２通風路３０２の形状は、断面が四角形以上の正多角形をなす正多角柱であってもよい。また、第１通風路３０１および第２通風路３０２の長さは、可搬型空調機のＸ軸方向（図５）の大型化を招かないように、適宜短くすることができる。
【０１２２】
上記切換プレート３１０は、上記冷風路３０１ａの開口面積より小さい開口面積を有した冷風口３１０ａと、上記温風路３０１ｂの開口面積より小さい開口面積を有した温風口３１０ｂとを備え、かつ上記通風方向に沿った回転軸３１２を持っている。上記冷風口３１０ａは冷風路３０１ａの開口範囲内で回転すると同時に、上記温風口３１０ｂが上記温風路３０１ｂの開口範囲内で回転するように、切換プレート３１０は回転する。
【０１２３】
第１通風路３０１と第２通風路３０２とは、上記第１仕切３０３の平板面（上記通風方向を含む第１面）と、上記第２仕切り３０４の平板面（上記通風方向を含む第２面）とが交差する（例えば直交する）ように、切換プレート３１０を挟んで接続されている。
【０１２４】
（冷気流路と暖気流路との切り換え動作：冷房運転モード）
上記の構成によれば、冷房運転モードでは、蒸発部の第１出口Ｅは、第１通風路３０１の冷風路３０１ａと、切換プレート３１０の冷風口３１０ａと、第２通風路３０２の送風路３０２ａとを介して、上記送風口１２に接続される。また、凝縮部の第２出口Ｆは、第１通風路３０１の温風路３０１ｂと、切換プレート３１０の温風口３１０ｂと、第２通風路３０２の排気路３０２ｂとを介して、上記排気口１３に接続される。
【０１２５】
（冷気流路と暖気流路との切り換え動作：暖房運転モード）
また、暖房運転モードでは、切換プレート３１０を回転させて、第１通風路３０１の冷風路３０１ａに対する切換プレート３１０の冷風口３１０ａの位置と、第１通風路３０１の温風路３０１ｂに対する切換プレート３１０の温風口３１０ｂの位置とを同時に変化させる。例えば、図２１の（ｂ）〜（ｅ）に示すように、Ｘ軸の正方向側から切換プレート３１０を見て、切換プレート３１０を反時計回りに９０度回転させる。
【０１２６】
これによって、蒸発部の第１出口Ｅは、第１通風路３０１の冷風路３０１ａと、切換プレート３１０の冷風口３１０ａと、第２通風路３０２の排気路３０２ｂとを介して、上記排気口１３に接続される。また、凝縮部の第２出口Ｆは、第１通風路３０１の温風路３０１ｂと、切換プレート３１０の温風口３１０ｂと、第２通風路３０２の送風路３０２ａとを介して、上記送風口１２に接続される。
【０１２７】
このように、蒸発部および凝縮部と第１通風路３０１との位置関係を、冷房運転および暖房運転によらず固定したまま、切換プレート３１０を回転させるだけで、蒸発部および凝縮部と送風口１２および排気口１３との接続の組み合わせを、冷房運転および暖房運転に応じて切り換えることができる。
【０１２８】
〔まとめ〕
本発明の態様１に係るペット用空調システム（１）は、可搬型空調機（１０，１０Ａ、１０Ｂ，１０Ｃまたは１０Ｅ）と、該可搬型空調機にて少なくとも空調された風を送出可能な送風路（送風ダクト２０または２０Ａ）に接続され、通気性を有したペット用座面（３１）を備えたマット部（３０，３０Ａまたは３０Ｂ）とを備えたことを特徴とする。
【０１２９】
上記の構成によれば、ペットが休息するマット部と可搬型空調機とは互いに独立しており、マット部の温度は、可搬型空調機によって空調された風により調節される。したがって、マット部に電子部品を設ける必要が無い。この結果、マット部に電子部品を設けた構成において起こり得る電気的トラブルの発生を回避できるので、安全性の高いペット用空調システムを提供することができる。
【０１３０】
さらに、ペット用座面の温度を調節することによって、ペット用座面がペットの体温調節部位（腹部、肉球など）を部分的に冷やしたり温めたりできるので、マット部で休息するペットに快適さを与えることができる。またこの形態では、ペットの居室全体を温度調節する形態と比較して、エネルギコストを低く抑えることができる。
【０１３１】
なお、上記可搬型空調機は、凝縮器、蒸発器およびファンを含むヒートポンプ回路が一体的に構成され、ユーザによる持ち運びが可能である。
【０１３２】
本発明の態様２に係るペット用空調システムは、上記態様１において、上記マット部は、上記可搬型空調機の上記送風路に対して着脱可能であることを特徴とする。
【０１３３】
上記の構成によれば、マット部のクリーニング、乾燥または日光消毒などのメンテナンスが容易になる。また、上記可搬型空調機にサイズの異なるマット部を装着できるので、ペットを買い替えたときなどに、ペットの大きさに応じてマット部だけを変えればよい。さらに、マット部が使用に耐えない状態になったときに、新たなマット部と容易に交換することもできる。したがって、マット部を交換できることはペット用空調システム全体を新調する必要が無いのでコスト面で有利である。
【０１３４】
本発明の態様３に係るペット用空調システムは、上記態様１または２において、殺菌作用および消臭作用の少なくとも一方を有する帯電粒子の発生器を、少なくとも上記送風路に設けたことを特徴とする。
【０１３５】
上記の構成によれば、殺菌作用または消臭作用またはその双方を有する帯電粒子が、空調された風によって少なくとも発生器から送風路を通り、マット部へ送出される。この結果、マット部に付着したペット由来の臭い、あるいはマット部およびその周囲で繁殖しがちな雑菌またはウイルス等の除去において効果を発揮することができる。これにより、飼い主（ユーザ）の居住エリア内でペットを飼うのに適したペット用空調システムを提供することができる。
【０１３６】
本発明の態様４に係るペット用空調システムは、上記態様１から３のいずれかにおいて、上記マット部にペットが居るか居ないかを検出する第１センサ（８１）と、上記マット部におけるペットの不在時間を計測するタイマ部（８３）と、上記タイマ部が計測する上記不在時間に応じて、上記可搬型空調機の運転モードを、通常モード、省エネルギモードおよび運転オフを含む運転モードから選択する制御部（８２）とを備えていることを特徴とする。
【０１３７】
上記の構成によれば、マット部にペットが居るか居ないか、居ない場合にはどのくらいの時間居ないかの状況に合わせた運転モードが選択される。したがって、ペット用空調システムの運転に要するエネルギの浪費を抑え、エネルギコストを最適化することができる。例えば、上記制御部は、マット部にペットが居ることを示す第１センサの出力に応じて通常モードを選択し、マット部にペットが短時間居ないことを第１センサおよびタイマ部が示す状況では省エネルギモードを選択することができる。さらに上記制御部は、マット部にペットが長時間居ないことを第１センサおよびタイマ部が示す状況では運転オフを選択することができる。
【０１３８】
本発明の態様５に係るペット用空調システムは、上記態様１から４のいずれかにおいて、上記マット部は、クッション性および通気性を備えたベース部（７０）と、該ベース部を脱着可能に収容するとともに通気性を備えたカバー部（カバー３６，６０，６０Ａまたは６０Ｂ）とを備え、上記ベース部における上記ペット用座面に対応した上面を除く面には、気密性が付与されていることを特徴とする。
【０１３９】
上記の構成によれば、上記マット部は、ベース部とカバー部とに分けることができるので、ユーザは、ベース部およびカバー部の各素材に応じて、ベース部およびカバー部を清浄にする処置（洗濯、漂白または天日干しなど）を施すことができる。
【０１４０】
また、ベース部における上記ペット用座面に対応した上面は通気性を有し、上面を除く面は気密性を有しているので、マット部に送り込まれた風は、ペット用座面を効率的に冷やしたり温めたりすることができる。この結果、ペット用座面は、短時間で最適な温度に達しやすくなる。
【０１４１】
本発明の態様６に係るペット用空調システムは、上記態様１から５のいずれかにおいて、上記マット部には、上記送風路に接続される接続口（６１）が設けられており、上記接続口は、上記送風路に対する上記マット部の向きを変えることができるように、複数箇所に設けられていることを特徴とする。
【０１４２】
上記の構成によれば、上記マット部を置く場所の状況に合わせて、上記マット部の向きが最適になる接続口をユーザは選択することができる。
【０１４３】
本発明の態様７に係るペット用空調システムは、上記態様１から６のいずれかにおいて、上記可搬型空調機にて冷房運転時に発生するドレン水を受け取って貯める貯水容器（９０，９０−１または９０−２）を備え、上記貯水容器は、上記マット部の底面に接して配置されていることを特徴とする。
【０１４４】
上記の構成によれば、冷房運転時に発生するドレン水は、可搬型空調機から貯水容器へと送られ貯水容器に貯められる。貯水容器は、マット部の底面に接して配置されているので、可搬型空調機に貯水容器を設けなくて済み、さらに貯水容器の設置スペースとマット部の設置スペースとを兼ねることができる。このことは、可搬型空調機の小型化およびペット用空調システムの省スペース化に資する。
【０１４５】
また、マット部の設置スペースを貯水容器の設置スペースとして利用できるので、貯水容器の容量を大きくするように貯水容器の高さを決めることも容易である。貯水容器の容量が大きくなれば、冷房の連続運転時間を長くすることができる。
【０１４６】
さらに、冷房運転時に発生する冷たいドレン水が、マット部の直下に貯まることになるので、貯水容器はマット部に対する冷却源として作用する。その結果、冷房運転のエネルギコストを節約することができる。
【０１４７】
本発明の態様８に係るペット用空調システムは、上記態様７において、上記貯水容器（９０−１）は、上層（９０Ａ）および下層（９０Ｂ）の２層構造を成しており、上記ドレン水は上層に送り込まれ、上層および下層には、上層に貯まったドレン水が下層へオーバーフローする連通構造（オーバーフロー管９５）が設けられていることを特徴とする。
【０１４８】
上記の構成によれば、上記貯水容器の上層は、下層よりも上記マット部の底面に近い。そのような上層に冷たいドレン水が貯まるので、マット部に対する上記冷却源としての貯水容器の作用を強めることができる。また、上層に貯まったドレン水が下層へオーバーフローする構造なので、上層のドレン水は常に冷たいドレン水に入れ替わる。このため、マット部の底面を低い温度に保つ効果が増進する。
【０１４９】
本発明の態様９に係るペット用空調システムは、上記態様７において、上記貯水容器（９０−２）は、相対的に容量が大きいメイン容量部（メインタンク９６）と相対的に容量が小さいサブ容量部（サブタンク９７）とに分離されており、上記サブ容量部は、上記ドレン水が送り込まれるとともにメイン容量部と連通した通路部（流路９８）と、通路部と連通した開口部（９７ａ）が形成されたキャビティ部と、上記開口部を開閉する開閉機構（９９）とを備え、上記開口部は、少なくとも冷房運転中に上記開閉機構によって閉じられていることを特徴とする。
【０１５０】
上記の構成によれば、冷房運転時に上記可搬型空調機にて発生したドレン水は、サブ容量部の通路部に送り込まれた後、通路部からメイン容量部へと流れ込む。上記開口部は、少なくとも冷房運転中に上記開閉機構によって閉じられているので、冷房運転中にドレン水がサブ容量部に流れ込むことはない。
【０１５１】
メイン容量部がドレン水で満たされると、ドレン水の廃棄が必要になる。この場合に、上記開口部を閉じていた開閉機構を開くと、可搬型空調機と貯水容器との間の途中の水路に貯まっている比較的少量のドレン水をサブ容量部に流し込むことができる。こうすることによって、貯水容器からドレン水を廃棄するために貯水容器を可搬型空調機から分離するときに、可搬型空調機と貯水容器との間の途中の水路に貯まっているドレン水がこぼれ出す不具合を回避することができる。
【０１５２】
本発明の態様１０に係るペット用空調システムは、上記態様７から９のいずれかにおいて、上記可搬型空調機（１０Ａ）に内蔵された蒸発部（４０Ａ）で発生する上記ドレン水を受ける受水部（１１０）が、該可搬型空調機に設けられ、該受水部の排水口と、上記貯水容器における上記ドレン水の受け口とは管（ドレンホース９３）を介して接続され、上記受水部の近傍に、該受水部の満水を検知する第２センサ（センサ１１１）が設けられていることを特徴とする。
【０１５３】
上記の構成によれば、第２センサおよび電気配線などを含む電子部品を可搬型空調機に設けるので、マット部には電子部品を設けずに済む。したがって、ペットが電子部品をかじったり、引っ掻いたりすることに起因したシステムの故障、あるいは感電または漏電等の事故の発生を防止できる。
【０１５４】
また、受水部と貯水容器とをつなぐ上記管が、異物混入または折れ曲がり等が原因となって閉塞した場合でも、上記第２センサは受水部の満水を検知することができる。よって、管の閉塞によってドレン水が可搬型空調機内に溢れ出すトラブルの発生を未然に防ぐことができる。
【０１５５】
本発明の態様１１に係るペット用空調システムは、上記態様１から４のいずれかにおいて、上記可搬型空調機は、
(1)蒸発部（４０Ａ）と凝縮部（４０Ｂ）とを一体的に収容した筐体（１１）と、
(2)上記筐体に設けられ、冷房運転時に上記送風路の少なくとも一部を構成する第１送風口（送風口１８Ｌ）と、
(3)上記第１送風口とは送風の向きが異なる位置にて上記筐体に設けられ、暖房運転時に上記送風路の少なくとも一部を構成する第２送風口（送風口１８Ｒ）と、
(4)上記第１送風口および第２送風口とは送風の向きがさらに異なる位置にて上記筐体に設けられた排気口（１９）と、
(5)上記蒸発部に設けられた第１ファン（シロッコファン４３）の周囲を囲うとともに、第１ファンが送り出す気流が吹き出す第１気流出口（第１出口Ｅ）を備えた第１ファンケーシング（４２）と、
(6)上記凝縮部に設けられた第２ファン（シロッコファン４７）の周囲を囲うとともに、第２ファンが送り出す気流が吹き出す第２気流出口（第２出口Ｆ）を備えた第２ファンケーシング（４６）とを備え、
(7)冷房運転時には、上記第１気流出口は、上記第１送風口と連通し、上記第２気流出口は、上記排気口と連通し、
(8)暖房運転時には、第１ファンケーシングおよび第２ファンケーシングが一体的に、冷房運転時の位置から所定角度回転することによって、上記第１気流出口は上記排気口と連通し、上記第２気流出口は上記第２送風口と連通することを特徴とする。
【０１５６】
上記の構成によれば、筐体に設けられた排気口は、冷房運転時と暖房運転時とで、排気という同じ役割を果たすように共用される。そして、第１ファンケーシングおよび第２ファンケーシングが冷房運転時の位置に在るときには、冷風を第１気流出口および第１送風口を介して上記送風路へ送り出し、温風を上記排気口から排気する。一方、暖房運転時には、第１ファンケーシングおよび第２ファンケーシングが一体的に、冷房運転時の位置から所定角度回転することによって、温風を第２気流出口および第２送風口を介して上記送風路へ送り出し、冷風を上記排気口から排気する。
【０１５７】
これにより、冷房運転と暖房運転とを切り換えるために、四方弁を必要としない。したがって、四方弁が不要になるので、可搬型空調機のコストダウンが可能になるとともに、四方弁とその周辺の配管とに必要なスペースを省略できるため、可搬型空調機を小型化することもできる。
【０１５８】
本発明の態様１２に係るペット用空調システムは、上記態様１から４のいずれかにおいて、上記可搬型空調機は、
(1)蒸発部と凝縮部とを一体的に収容した筐体（ケース１１，１１Ｄまたは１１Ｅ）と、
(2)該筐体に設けられ、上記送風路の少なくとも一部を構成する送風口（１２，１２Ｅまたは１８Ｌ）と、
(3)該筐体に設けられた排気口（１３，１３Ｅ，または１８Ｒ）と、
(4)冷房運転時に上記蒸発部と上記送風口とを連通させるとともに、上記凝縮部と上記排気口とを連通させる一方、暖房運転時に上記蒸発部と上記排気口とを連通させるとともに、上記凝縮部と上記送風口とを連通させる気流路切換部（ダクト切換弁１００，気流路切換部２００またはダクト切換機３００）とを備えていることを特徴とする。
【０１５９】
上記の構成によれば、筐体に設けられた送風口と排気口とは、冷房運転時にも暖房運転時にも、同じ役割を果たすように共用される。そして、気流路切換部は、送風口と排気口との共用を活かすように、冷房運転時には冷風を上記送風口から上記送風路へ送り出し、温風を上記排気口から排気する一方、暖房運転時には温風を上記送風口から上記送風路へ送り出し、冷風を上記排気口から排気する。
【０１６０】
これにより、筐体には送風口と排気口とを１つずつ設けるだけでよく、冷房運転時および暖房運転時に空調された風が同じ送風口から吹き出すので、ペット用空調システムの構成が簡素化され、使い勝手もよい。
【０１６１】
また、冷房運転と暖房運転とを切り換えるために、四方弁を必要としない。したがって、四方弁が不要になるので、可搬型空調機のコストダウンが可能になるとともに、四方弁とその周辺の配管とに必要なスペースを省略できるため、可搬型空調機を小型化することもできる。
【０１６２】
本発明の態様１３に係るペット用空調システムは、上記態様１２において、上記気流路切換部（ダクト切換弁１００またはダクト切換機３００）は、その内部を通る気流の方向に沿った回転軸を有し、その回転軸の周囲に少なくとも２つの開口（１０２，１０３，３１０ａまたは３１０ｂ）を部分的に備えた回転式切換弁（ダクト切換弁１００または切換プレート３１０）を備え、
冷房運転時には、上記少なくとも２つの開口のうちの第１の開口（１０２または３１０ａ）を介して、上記蒸発部と上記送風口とが接続され、暖房運転時には、上記回転式切換弁を回転させることによって、上記少なくとも２つの開口のうちの第２の開口（１０３または３１０ｂ）を介して、上記凝縮部と上記送風口とが接続されることを特徴とする。
【０１６３】
上記の構成によれば、簡単な構成を備えた回転式切換弁を回転させるだけで、蒸発部および凝縮部と送風口との接続の組み合わせを、冷房運転および暖房運転に応じて切り換えることができる。したがって、四方弁の代わりに上記気流路切換部を用いることは、可搬型空調機のコストダウンを実現するために好適である。
【０１６４】
本発明の態様１４に係るペット用空調システムは、上記態様１２において、
(1)上記気流路切換部は、扁平な円筒形状を成す切換弁であって、該円筒形状の中心軸の周りに回動可能な切換弁（ダクト切換弁１００）を備えており、
(2)上記蒸発部および凝縮部は、上記切換弁の底面側に配設され、
(3)上記切換弁は、該切換弁の底面から上面に貫通する排気路（１０１）と、該切換弁の底面から上面に貫通するとともに上記排気路を挟むように形成された第１通風路（１０２）および第２通風路（１０３）とを備え、
(4)冷房運転時には、上記第１通風路を介して上記蒸発部と上記送風口とが接続されるとともに上記排気路を介して上記凝縮部と上記排気口とが接続され、
(5)暖房運転時には、上記切換弁を上記中心軸の周りに回動させることにより、上記第２通風路を介して上記凝縮部と上記送風口とが接続されるとともに上記排気路を介して上記蒸発部と上記排気口とが接続されることを特徴とする。
【０１６５】
上記の構成によれば、切換弁は円筒形状の中心軸の周りに回動することによって、送風口および排気口と、凝縮部および蒸発部との接続の組み合わせを選択的に切り換えることができる。その切り換えを実現する切換弁の構成は極めてシンプルである。すなわち、切換弁には、その底面から上面に貫通する排気路、第１通風路および第２通風路が形成されているだけである。したがって、四方弁の代わりに上記切換弁を用いることは、可搬型空調機のコストダウンを実現するために好適である。
【０１６６】
本発明の態様１５に係るペット用空調システムは、上記態様１４において、上記排気路は、上記円筒形状の底面の外周寄りに形成された排気受口（１０１ａ）と、該円筒形状の上面の外周寄りに形成され、上記排気口と連通する排気出口（１０１ｂ）であって、該円筒形状の中心を挟んで上記排気受口と対角的に対向する排気出口と、上記排気受口および排気出口とを斜めに連通させる傾斜路（１０１ｃ）とを備え、上記第１通風路および第２通風路は、上記排気受口を挟む両側位置に形成されていることを特徴とする。
【０１６７】
上記の構成によれば、排気路を通って排気される冷風または温風は、切換弁の底面に形成された排気受口から傾斜路を介して、第１通風路および第２通風路から離れた位置に形成された排気出口から排出されることになる。これにより、筐体に設ける送風口および排気口のレイアウトが容易になる。
【０１６８】
本発明の態様１６に係るペット用空調システムは、上記態様１２において、
(1)上記気流路切換部（２００）は、両端が開口した通風路（筐体２０２）と、該通風路の内部で回動軸（２１０）の周りに回動する平板（ダンパ２０１）とを備え、
(2)上記両端のうちの一端（２０４）は上記排気口と連通し、上記両端のうちの他端（２０３）は上記送風口と連通しているとともに、上記通風路の内面の途中位置で上記蒸発部に接続された冷気路（冷気ダクト２０５）が開口しているとともに、上記通風路の内面の他の途中位置で上記凝縮部に接続された暖気路（暖気ダクト２０６）が開口しており、
(3)上記平板は、上記回動軸を挟んで対向して位置する第１回動端縁（２０１ａ）および第２回動端縁（２０１ｂ）が、上記通風路の対向する内面（２０２Ｌおよび２０２Ｒ）に接することによって、上記平板は２種類の傾斜状態を取り、
(4)上記平板は、冷房運転時に上記２種類の傾斜状態のうちの第１の傾斜状態となることによって、上記冷気路を上記送風口に連通させる冷流路と、上記暖気路を上記排気口に連通させる暖流路とを気密状態で分離する一方、暖房運転時に、上記２種類の傾斜状態のうちの第２の傾斜状態となることによって、上記冷気路を上記排気口に連通させる冷流路と、上記暖気路を上記送風口に連通させる暖流路とを気密状態で分離することを特徴とする。
【０１６９】
上記の構成によれば、上記通風路および平板を備えた気流路切換部は、その構成が極めてシンプルである。すなわち、通風路は両端が開口し、途中位置に蒸発部および凝縮部にそれぞれ接続された２つの開口が形成されているだけである。また、平板は、通風路の内部で回動し、通風路の内面に対する接し方が異なる２種類の傾斜状態を取るだけで、冷流路と暖流路とを気密状態で分離する。したがって、四方弁の代わりに上記気流路切換部を用いることは、可搬型空調機のコストダウンを実現するために好適である。
【０１７０】
本発明の態様１７に係るペット用空調システムは、上記態様１２において、
(1)上記気流路切換部（ダクト切換機３００）は、第１通風路（３０１）と、第２通風路（３０２）と、第１通風路と第２通風路とに挟まれた切換プレート（３１０）とを備え、
(2)上記第１通風路は、上記蒸発部に接続された冷風路（３０１ａ）と上記凝縮部に接続された温風路（３０１ｂ）とを通風方向に沿って分離する第１仕切（３０３）を備え、
(3)上記第２通風路は、上記送風口に接続された送風路（３０２ａ）と上記排気口に接続された排気路（３０２ｂ）とを通風方向に沿って分離する第２仕切（３０４）を備え、
(4)上記切換プレートは、上記冷風路の開口面積より小さい開口面積を有した冷風口（３１０ａ）と、上記温風路の開口面積より小さい開口面積を有した温風口（３１０ｂ）とを備え、かつ上記通風方向に沿った回転軸（３１２）を持ち、上記冷風口が上記冷風路の開口範囲内で回転すると同時に、上記温風口が上記温風路の開口範囲内で回転するように、上記切換プレートは回転し、
(5)上記第１通風路と第２通風路とは、上記第１仕切の上記通風方向を含む第１面と、上記第２仕切の上記通風方向を含む第２面とが交差するように、上記切換プレートを挟んで接続されていることを特徴とする。
【０１７１】
上記の構成によれば、冷房運転時には、蒸発部は、第１通風路の冷風路と、切換プレートの冷風口と、第２通風路の送風路とを介して上記送風口に接続されるとともに、凝縮部は、第１通風路の温風路と、切換プレートの温風口と、第２通風路の排気路とを介して、上記排気口に接続される。
【０１７２】
また、暖房運転時には、切換プレートを回転させて、冷風路の開口範囲内で冷風口の位置を変化させるとともに、温風路の開口範囲内で温風口の位置を変化させる。これによって、蒸発部は、第１通風路の冷風路と、切換プレートの冷風口と、第２通風路の排気路とを介して、上記排気口に接続されるとともに、凝縮部は、第１通風路の温風路と、切換プレートの温風口と、第２通風路の送風路とを介して、上記送風口に接続される。
【０１７３】
このように、蒸発部および凝縮部と第１通風路との位置関係を、冷房運転および暖房運転によらず固定したまま、切換プレートを回転させるだけで、蒸発部および凝縮部と送風口および排気口との接続の組み合わせを、冷房運転および暖房運転に応じて切り換えることができる。
【０１７４】
したがって、四方弁の代わりに上記気流路切換部を用いることは、可搬型空調機のコストダウンを実現するために好適である。
【０１７５】
本発明の態様１８に係るペット用マットは、空調機にて少なくとも空調された風を送出可能な送風路に接続可能に構成され、通気性を有したペット用座面を備えたことを特徴とする。
【０１７６】
上記の構成によれば、ペット用座面の温度を空調された風によって調節する。この結果、ペット用座面がペットの体温調節部位（腹部、肉球など）を部分的に冷やしたり温めたりできるので、マット部で休息するペットに快適さを与えることができる。また、ペット用マットは空調機から独立しており、ペット用マットに電子部品を設ける必要が無い。この結果、ペット用マットの価格を抑えることができる上に、ペット用マットに電子部品を設けた構成において起こり得る電気的トラブルの発生を回避できるので、安全性の高いペット用マットを提供することができる。
【０１７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１７８】
本発明は、空気中の塵埃を捕集するフィルタを備えたフィルタユニットと、そのフィルタユニットを備えた空気調和機とに利用することができる。
【符号の説明】
【０１７９】
１、１Ａ、１Ｂ、１Ｃ  ペット用空調システム
１０、１０Ａ、１０Ｂ、１０Ｃ、１０Ｅ  可搬型空調機
１１、１１Ｄ、１１Ｄ、１１Ｅ  ケース（筐体）
１２、１２Ｅ  送風口
１３、１３Ｅ  排気口
１４  蓋
１５  第１吸込口
１６  第２吸込口
１７  ドレンタンク
１８Ｌ  送風口（第１送風口）
１８Ｒ  送風口（第２送風口）
１９  排気口
２０、２０Ａ、２２Ｅ  送風ダクト
２１Ｅ  ダクト
２３Ｅ  排気ダクト
３０、３０Ａ、３０Ｂ  マット部
３１  ペット用座面
３２、３２Ｂ  隆起部
３３  通風口
３４  クッション部材
３５  通風管
３６  カバー（カバー部）
４０Ａ  蒸発部
４０Ｂ  凝縮部
４１  蒸発器
４２、４２Ｅ  第１ファンケーシング
４３、４３Ｅ  シロッコファン（第１ファン）
４４  回転軸
４５  凝縮器
４６、４６Ｅ  第２ファンケーシング
４７、４７Ｅ  シロッコファン（第２ファン）
４８  四方弁
４９、４９Ｅ  圧縮機
６０、６０Ａ、６０Ｂ  カバー（カバー部）
６１  通風口（接続口）
７０  ベース部
７１  通風口（接続口）
８１  センサ（第１センサ）
９０、９０−１、９０−２  ドレンタンク（貯水容器）
９０Ａ  上層部（上層）
９０Ｂ  下層部（下層）
９１  受水管
９２  排水管
９３  ドレンホース（管）
９４  仕切り
９５  オーバーフロー管（連通構造）
９６  メインタンク（メイン容量部）
９７  サブタンク（サブ容量部）
９７ａ  開口部
９８  流路（通路部）
９９  開閉機構
１００  ダクト切換弁（気流路切換部）
１０１  排気路
１０１ａ  排気受口
１０１ｂ  排気出口
１０１ｃ  傾斜路
１０２  第１通風路（開口）
１０３  第２通風路（開口）
１１０  受水部
１１１  センサ（第２センサ）
２００  気流路切換部
２０１  ダンパ（平板）
２０１ａ  一端（第１回動端縁）
２０１ｂ  他端（第２回動端縁）
２０２  筐体
２０２Ｌ，２０２Ｒ  側面（内面）
２０３  送風口
２０４  排気口
２０５  冷気ダクト（冷気路）
２０６  暖気ダクト（暖気路）
２１０  回動軸
２１１ａ、２１１ｂ、２１１ｃ、２１１ｄ  シール部材
２１１ａ−１、２１１ｂ−１、２１１ｃ−１、２１１ｄ−１  側面
３００  ダクト切換機（気流路切換部）
３０１  第１通風路
３０１ａ  冷風路
３０１ｂ  温風路
３０２  第２通風路
３０２ａ  送風路
３０２ｂ  排気路
３０３  第１仕切
３０４  第２仕切
３１０  切換プレート（回転式切換弁）
３１０ａ  冷風口（開口）
３１０ｂ  温風口（開口）
３１２  回転軸
Ｃ１、Ｃ２、Ｃ３、Ｃ４  エリア
Ｅ  第１出口（第１気流出口）
Ｆ  第２出口（第２気流出口）
【図１】
0006505509.tif 000002
【図２】
0006505509.tif 000003
【図３】
0006505509.tif 000004
【図４】
0006505509.tif 000005
【図５】
0006505509.tif 000006
【図６】
0006505509.tif 000007
【図７】
0006505509.tif 000008
【図８】
0006505509.tif 000009
【図９】
0006505509.tif 000010
【図１０】
0006505509.tif 000011
【図１１】
0006505509.tif 000012
【図１２】
0006505509.tif 000013
【図１３】
0006505509.tif 000014
【図１４】
0006505509.tif 000015
【図１５】
0006505509.tif 000016
【図１６】
0006505509.tif 000017
【図１７】
0006505509.tif 000018
【図１８】
0006505509.tif 000019
【図１９】
0006505509.tif 000020
【図２０】
0006505509.tif 000021
【図２１】
0006505509.tif 000022